(57)【特許請求の範囲】
【請求項１】
照射された放射線を検出して画像情報を取得する放射線画像検出器と、
前記放射線画像検出器を操作するコンソールと、
撮影の際に前記放射線画像検出器を操作する前記コンソールとの対応付けを行う対応付け手段とを備え、
前記放射線画像検出器は、前記対応付け手段により対応付けられたコンソールの起動状態に応じて電力供給の状態を制御する電力供給手段を備えることを特徴とする放射線画像撮影システム。
【請求項２】
複数の前記コンソールを備えており、
前記対応付け手段は、前記複数のコンソールのうち、一つのコンソールと対応付けることを特徴とする請求の範囲第１項に記載の放射線画像撮影システム。
【請求項３】
前記放射線画像検出器は、
前記電力供給の状態として、
撮影を行うのに必要な消費電力量の撮影可能状態と、
前記撮影可能状態より消費電力量の少ない撮影待機状態と、
前記撮影待機状態より消費電力量の少ない待機準備状態とを備えることを特徴とする請求の範囲第１項又は請求の範囲第２項に記載の放射線画像撮影システム。
【請求項４】
前記電力供給手段は、
前記コンソールが起動していることを検出した場合に、前記電力供給の状態を撮影可能状態又は撮影待機状態にすることを特徴とする請求の範囲第３項に記載の放射線画像撮影システム。
【請求項５】
前記電力供給手段は、
前記コンソールが起動中止していることを検出した場合に、前記電力供給の状態を待機準備状態にすることを特徴とする請求の範囲第３項に記載の放射線画像撮影システム。
【請求項６】
前記電力供給手段は、
前記撮影可能状態にしてから所定時間経過後、前記コンソールから撮影指示がない場合、前記電力供給の状態を前記撮影待機状態にすることを特徴とする請求の範囲第５項に記載の放射線画像撮影システム。
【請求項７】
前記コンソールは、前記放射線画像検出器の電力供給の状態を報知することを特徴とする報知部を備えたことを特徴とする請求の範囲第１項から請求の範囲第６項のいずれか一項に記載の放射線画像撮影システム。
【請求項８】
前記放射線画像検出器は、カセッテ型のフラットパネルディテクタであることを特徴とする請求の範囲第１項から請求の範囲第７項のいずれか一項に記載の放射線画像撮影システム。
【請求項９】
前記放射線画像検出器は、前記対応付けられたコンソールの指示に基づく動作の進行状況を検知する検知手段を備えており、
前記検知手段が前記対応付けられたコンソールの指示に基づく動作が完了したことを検知した場合に、前記電力供給手段に前記電力供給の状態を制御させる制御部を備えることを特徴とする請求の範囲第１項に記載の放射線画像撮影システム。
【請求項１０】
前記対応付け手段により対応付けられたコンソールとの対応付けを解除する解除手段を備えており、
前記制御部は、前記検知手段が前記対応付けられたコンソールの指示に基づく動作が完了したことを検知した場合に、前記解除手段に前記対応付けられたコンソールとの対応付けを解除させることを特徴とする請求の範囲第９項に記載の放射線画像撮影システム。
【請求項１１】
複数の前記コンソールを備えているとともに、
前記放射線画像検出器は、前記複数のコンソールのうち、一つのコンソールと対応付けられており、
前記制御部は、前記解除手段が前記対応付けられたコンソールとの対応付けを解除した場合に、次のコンソールとの対応付けが可能となるように制御することを特徴とする請求の範囲第９項又は請求の範囲第１０項に記載の放射線画像撮影システム。
【発明の詳細な説明】
【技術分野】
【０００１】
本発明は、放射線画像撮影システムに係り、特に、Ｘ線画像に代表される放射線画像を撮影するための放射線画像撮影システムに関する。
【背景技術】
【０００２】
従来より、医療診断にあっては、被写体にＸ線等の放射線を照射し、当該被写体を透過した放射線の強度分布を検出して得られた放射線画像が広く利用されており、近年では、撮影に際し、放射線を検出して電気エネルギーに変換し、放射線画像情報として検出するＦＰＤ（Flat Panel Detector：放射線画像検出器）を用いた放射線照射装置が開発されている。【０００３】
近年、ＦＰＤの運搬性・取扱い性の向上を目的として当該ＦＰＤをカセッテに収容したカセッテ型ＦＰＤも開発されている（例えば、特許文献１参照）。特にカセッテ型ＦＰＤの搬送性を活かすために、カセッテ型ＦＰＤを制御するコンソールに無線で通信するカセッテ型ＦＰＤが提案されている。【０００４】
ところで、従来のＦＰＤでは、撮影の際に、ＦＰＤを装着する装着口にＦＰＤが装着されることで、当該ＦＰＤは装着口を有する撮影システムと対応付けられるというものであった（特許文献２参照）。
【特許文献１】特開平６−３４２０９９号公報
【特許文献２】特開２００２−３３６２２５号公報
【発明の開示】
【発明が解決しようとする課題】
【０００５】
しかしながら、このＦＰＤは、対応付けがなされた撮影システムの画像補正や画像処置のためのシステム情報がＦＰＤに送られるのみで、コンソールの起動状態を反映して、自身の動作状態を変化させるものではなかった。また、ＦＰＤを使用する際には、改めてＦＰＤの起動をＦＰＤ自身やコンソールを介して指令する必要があった。【０００６】
特に、緊急に撮影の場合では、撮影を行うまでの操作の手間や時間を少しでも減らしたいという要望が高く、また、誤って起動していない放射線画像検出器を使用して患者に再撮影を強いることがあり、操作ミスにより患者に不要な被曝を高じさせてしまうこともあった。【０００７】
本発明の課題は、撮影の際の操作性を向上させることである。
【課題を解決するための手段】
【０００８】
本発明の第１の側面によれば、この放射線画像撮影システムは、
照射された放射線を検出して画像情報を取得する放射線画像検出器と、
前記放射線画像検出器を操作するコンソールと、
撮影の際に前記放射線画像検出器を操作する前記コンソールとの対応付けを行う対応付け手段とを備え、
前記放射線画像検出器は、前記対応付け手段により対応付けられたコンソールの起動状態に応じて電力供給の状態を制御する電力供給手段を備えるものである。【０００９】
好ましくは、複数の前記コンソールを備えており、
前記対応付け手段は、前記複数のコンソールのうち、一つのコンソールと対応付ける。【００１０】
好ましくは、前記放射線画像検出器は、
前記電力供給の状態として、
撮影を行うのに必要な消費電力量の撮影可能状態と、
前記撮影可能状態より消費電力量の少ない撮影待機状態と、
前記撮影待機状態より消費電力量の少ない待機準備状態とを備える。【００１１】
好ましくは、前記電力供給手段は、
前記コンソールが起動していることを検出した場合に、前記電力供給の状態を撮影可能状態又は撮影待機状態にする。【００１２】
好ましくは、前記電力供給手段は、
前記コンソールが起動中止していることを検出した場合に、前記電力供給の状態を待機準備状態にする。【００１３】
好ましくは、前記電力供給手段は、
前記撮影可能状態にしてから所定時間経過後、前記コンソールから撮影指示がない場合、前記電力供給の状態を前記撮影待機状態にする。【００１４】
好ましくは、前記コンソールは、前記放射線画像検出器の電力供給の状態を報知することを特徴とする報知部を備える。【００１５】
好ましくは、前記放射線画像検出器は、カセッテ型のフラットパネルディテクタである。【００１６】
好ましくは、前記放射線画像検出器は、前記対応付けられたコンソールの指示に基づく動作の進行状況を検知する検知手段を備えており、
前記検知手段が前記対応付けられたコンソールの指示に基づく動作が完了したことを検知した場合に、前記電力供給手段に前記電力供給の状態を制御させる制御部を備える。【００１７】
好ましくは、前記対応付け手段により対応付けられたコンソールとの対応付けを解除する解除手段を備えており、
前記制御部は、前記検知手段が前記対応付けられたコンソールの指示に基づく動作が完了したことを検知した場合に、前記解除手段に前記対応付けられたコンソールとの対応付けを解除させる。【００１８】
好ましくは、複数の前記コンソールを備えているとともに、
前記放射線画像検出器は、前記複数のコンソールのうち、一つのコンソールと対応付けられており、
前記制御部は、前記解除手段が前記対応付けられたコンソールとの対応付けを解除した場合に、次のコンソールとの対応付けが可能となるように制御する。
【発明の効果】
【００１９】
本発明の第１の側面によれば、放射線画像検出器は、対応付けられたコンソールの起動状態に応じて自動的に電力供給の状態を制御することができるので、緊急に撮影を行いたい場合において、放射線画像検出器を起動させるための操作上の手間や、起動待ちの時間を省くことができ、撮影の際の操作性を向上させることができる。また、誤って起動していない放射線画像検出器を使用して患者に再撮影を強いるなど、操作ミスにより患者に不要な被曝を高じさせるのを防ぐことができる。
特に、コンソールが起動していない場合に、放射線画像検出器の消費電力を抑えるように電力供給の状態を制御した場合には、コンソールの非起動時、つまり、撮影が行われないときに、放射線画像検出器を消費電力を抑えた省電力モードとすることができ、無駄な消費電力を削減することができる。【００２０】
また、放射線画像検出器は、複数のコンソールのうち、対応付け手段により対応付けられた一つのコンソールと対応付けることができるので、放射線画像検出器は、対応付け手段により対応付けられた特定のコンソールの起動状態に応じて、電力供給の状態を制御することができる。【００２１】
また、放射線画像検出器は、消費電力量の異なる電力供給の状態にすることができるので、対応付けられたコンソールの起動状態に応じて自動的に電力供給の状態を変えることができる。【００２２】
また、電力供給手段は、コンソールが起動しているような撮影を行う可能性があると予想される状況においては、放射線画像検出器に備えた３つの電力供給状態のうち、撮影可能状態又は撮影待機状態にしているので、放射線画像検出器は、撮影を行う可能性があると予想される状況では、撮影を行うか、あるいは、撮影を行っていないが、撮影時よりも消費電力量を低くし、無駄な消費電力を削減した状態で放射線画像検出器５を待機させることができる。特に、撮影待機状態が、撮影可能状態への迅速な移行が可能な状態である場合には、コンソールの起動時に迅速に撮影を行うことができる。また、放射線画像検出器の電源の入れ忘れを防ぐこともできる。【００２３】
また、放射線画像検出器は、コンソールが起動しておらず、撮影を行う可能性がないと予想される状況においては、電力供給手段により、放射線画像検出器に備えた３つの電力供給状態のうち、１番消費電力量が少ない待機準備状態にするので、撮影を行う可能性がないと予想される状況では、電力供給の状態を待機準備状態にして無駄な消費電力を極力削減することができる。また、放射線画像検出器の電源の切り忘れを防ぐこともできる。【００２４】
また、放射線画像検出器は、コンソールが起動している場合であっても、電力供給の状態を撮影可能状態にしてから所定時間内にコンソールから撮影指示がない場合には、電力供給手段により、電力供給の状態を撮影待機状態にされるので、放射線画像検出器は、すぐに撮影を行う可能性はないが、撮影を行うことが予想される状況では、電力供給の状態を撮影待機状態にして、無駄な消費電力を極力削減しつつ、迅速に撮影を行うことができる。【００２５】
また、コンソールは、報知部を介して電力供給の状態を報知することができるので、放射線技師は、その報知に基づいて、これから撮影に使用する放射線画像検出器を選択したり、撮影中の放射線画像検出器に次の指示を与えるなど対処を施すことができる。【００２６】
また、撮影場所を選ばず容易に持ち運ぶことが可能であり、撮影の自由度が向上するので、撮影の際の操作性を向上させることができる。【００２７】
また、放射線画像検出器は、検知手段により対応付けられたコンソールの指示に基づく動作の進行状況を検知し、対応付けられたコンソールの指示に基づく動作が完了したことを検知した場合に、前記電力供給手段に前記電力供給の状態を制御させることができるので、放射線画像検出器は、対応付け手段により対応付けられたコンソールの指示に基づく動作の進行状況に応じて、電力供給の状態を制御することができる。【００２８】
また、放射線画像検出器は、対応付け手段により対応付けられたコンソールとの対応付けを解除する解除手段を備えており、検知手段により対応付けられたコンソールの指示に基づく動作が完了したことを検知した場合に、解除手段に対応付けられたコンソールとの対応付けを解除させることができるので、放射線画像検出器は、対応付けられたコンソールの指示に基づく動作が完了すると、対応付けられたコンソールとの対応付けを解除するように制御することができる。【００２９】
また、放射線画像検出器は、複数のコンソールのうち、対応付け手段により対応付けられた一つのコンソールと対応付けられており、複数の前記コンソールを備えているとともに、解除手段により対応付けられたコンソールとの対応付けを解除した場合に、次のコンソールとの対応付けが可能にすることができるので、放射線画像検出器は、対応付け手段により対応付けられた特定のコンソールとの対応付けが解除されると、次のコンソールとの対応付けが可能となるように制御することができる。
【図面の簡単な説明】
【００３０】
【図１】本発明に係る放射線画像撮影システムの第１実施形態を例示する概略構成を示す図である。
【図２】図１の放射線画像撮影システムを構成するコンソールの要部構成示すブロック図である。
【図３】図１の放射線画像撮影システムを構成する放射線画像検出器の要部構成を示す斜視図である。
【図４】図３の放射線画像検出器に備わる光電変換層を構成する１画素分の光電変換部の等価回路図である。
【図５】図４の光電変換部を二次元に配列した等価回路図である。
【図６】図１の放射線画像撮影システムを構成する放射線画像検出器の要部構成を示すブロック図である。
【図７】本発明に係る放射線画像撮影システムの第２実施形態におけるコンソールの要部構成示すブロック図である。
【図８】本発明に係る放射線画像撮影システムの第２実施形態における放射線画像検出器の要部構成示すブロック図である。
【図９】本発明に係る放射線画像撮影システムの第３実施形態を例示する概略構成を示す図である。
【図１０】図９の放射線画像撮影システムを構成するサーバの要部構成示すブロック図である。
【図１１】図９の放射線画像撮影システムを構成するコンソールの要部構成示すブロック図である。
【図１２】図９の放射線画像撮影システムを構成する放射線画像検出器の要部構成示すブロック図である。
【発明を実施するための最良の形態】
【００３１】
以下、本発明に係る実施の形態を図１から図６を参照して説明する。ただし、本発明は図示例のものに限定されるものではない。【００３２】
〔第１実施形態〕
まず、第１実施形態について説明する。図１は、本発明に係る放射線画像検出器を適用した放射線画像撮影システムの一実施形態の概略構成を示す図である。【００３３】
本実施形態による放射線画像撮影システム１は、例えば、病院内で行われる放射線画像撮影において適用されるシステムであり、図１に示すように、撮影や患者に関する各種の情報等を管理するサーバ２と、放射線照射に関する操作を行う放射線照射操作装置３と、例えば無線ＬＡＮ（Local Area Network）等の無線通信方式による通信を行うための基地局４と、放射線画像検出器５を制御するとともに放射線画像検出器５により検出された放射線画像の画像処理等を行う複数のコンソール６，６…とがネットワーク７を通じて接続されている。放射線照射操作装置３にはケーブル８を介して、被写体９である患者に放射線を照射して放射線画像の撮影を行う放射線照射装置１０が接続されている。放射線照射装置１０及び放射線画像検出器５は、例えば１つの撮影室１１内に１つのずつ設置されており、放射線照射操作装置３によって放射線照射装置１０を操作し放射線画像検出器５によって放射線画像を検出することによって放射線画像情報を得ることができるように構成されている。なお、１つの撮影室１１に複数の放射線画像検出器５が備えられていてもよいし、撮影室１１の数は図示したものに限定されず、複数の撮影室１１が設けられていてもよい。また、放射線画像検出器５は、単に新たに対応付けられたコンソール６の起動状態を反映すればよいので、コンソール６は、必ずしもネットワーク７に接続されている必要はない。ただし、放射線画像検出器５は、コンソール６と相互に無線信号の送受信を行うなど、各種信号の送受信を行うこと可能な環境下にある必要がある。【００３４】
ここで、ネットワーク７は、当該システム専用の通信回線であっても良いが、システム構成の自由度が低くなってしまう等の理由のため、イーサネット（Ethernet；登録商標）等の既存の回線である方が好ましい。なお、ネットワーク７には、他の撮影室４０の放射線画像検出器や、撮影操作装置（いずれも図示せず）が基地局４３を介して接続されていてもよい。【００３５】
放射線照射操作装置３は、操作パネル等から構成され放射線照射装置１０を操作する、例えば管電圧や照射線量（ｍＡｓ）などの撮影条件などの信号を入力する入力操作部、撮影条件等の情報や各種の指示等を表示する表示部、及び放射線照射装置１０に対して電力を供給する電源部等（いずれも図示せず）を備えて構成されている。【００３６】
放射線照射装置１０は、撮影室１１の内部に配置され、放射線を照射する放射線源１２を有しており、この放射線源１２により放射線照射操作装置３で設定された管電圧や照射線量で放射線を照射するようになっている。放射線源１２としては、例えば、放射線管が用いられ、放射線管は熱励起によって生ずる電子を高電圧で加速して陰極に衝突させることで、放射線を発生するようになっている。【００３７】
次に、コンソール６について説明する。
図２に示すように、コンソール６は、例えば、汎用のＣＰＵ、ＲＯＭ、ＲＡＭ等（いずれも図示せず）から構成された制御部２９を有する制御装置３０を備えており、制御部２９は、ＲＯＭに格納される所定のプログラムを読み出してＲＡＭの作業領域に展開し、当該プログラムに従ってＣＰＵが各種処理を実行するようになっている。なお、各コンソール６には、ネットワーク７上の複数のコンソール６を区別するための識別情報（例えば、ＩＤ、バーコード等）が付与されている。【００３８】
また、コンソール６は、各種の指示等を入力する入力操作部３１、画像や各種のメッセージ等を表示する報知部としての表示部３２、放射線画像検出器５等の外部装置との間で各種信号の送受信を行う通信部３３等を備えている。【００３９】
入力操作部３１は、例えば、操作パネルやキーボードやマウス等から構成されており、操作パネル又はキーボードで押下操作されたキーの押下信号やマウスによる操作信号を入力指示として制御部２９に対して出力するものである。【００４０】
入力操作部３１では、例えば、入力指示のうち、対応付け指示として、ある撮影室１１内で使用される放射線画像検出器５の識別情報（例えば、ＩＤ、バーコード等）を入力する。なお、入力される放射線画像検出器５の識別情報は、複数でもよい。また、当該情報の入力は、放射線画像検出器５が使用される撮影室１１を管理するコンソール６から行われなくてもよい。また、対応付け指示として、撮影室１１内で使用される放射線画像検出器５及びコンソール６の両方の識別情報を入力してもよい。【００４１】
また、入力操作部３１では、撮影予約指示として、表示部３２で表示された撮影リストの中から次に撮影を行う患者を選択し、この患者に対して使用するネットワーク７上の特定の放射線画像検出器５、すなわち、自身に対応付けられているネットワーク７上の放射線画像検出器５のうちのいずれかの放射線画像検出器５を選択してもよい。【００４２】
また、入力操作部３１では、撮影指示として、放射線照射を行う旨の指示を入力する。なお、撮影指示は、放射線照射操作装置３から入力されてもよい。【００４３】
また、入力操作部３１では、起動指示及び起動中止指示として、コンソールを起動する及びコンソールの起動を中止する旨の指示を入力する。【００４４】
表示部３２は、例えば、ＣＲＴ（Cathode Ray Tube）やＬＣＤ（Liquid Crystal Display）等を備えて構成されており、制御部２９から出力される表示信号の指示に従って、各種画面を表示するものである。表示部３２では、例えば、サーバ２などネットワーク７上の外部機器から送られた撮影リストやコンソール６と対応付けられたネットワーク７上の放射線画像検出器５に関する各種情報が表示可能である。なお、撮影リストには、撮影予定の患者の氏名及び性別、撮影部位等撮影を行うにあたって必要な患者情報が記載されている。【００４５】
通信部３３は、無線ＬＡＮ等の無線通信方式により、基地局４を介して、放射線画像検出器５やサーバ２などネットワーク７上の他の外部機器との間で各種情報の通信を行うものである。【００４６】
制御部２９には、入力操作部３１からの入力指示や通信部３３を介して外部から受信した情報が入力されるようになっており、入力された指示又は情報について所定の処理を行うものである。【００４７】
例えば、制御部２９は、入力操作部３１で対応付け指示が入力されると、入力操作部３１で識別情報が入力された放射線画像検出器５とコンソール６との対応付けを行う。なお、制御部２９は、入力操作部３１で撮影室１１内で使用される放射線画像検出器５の識別情報のみが入力された場合には、入力された識別情報が付与された放射線画像検出器５とコンソール６との対応付けを行う。【００４８】
また、制御部２９は、入力操作部３１で対応付け指示が入力されると、その都度対応付けされる放射線画像検出器５を追加する。【００４９】
また、制御部２９は、入力操作部３１で撮影予約指示が入力されると、すでに自身に対応付けられている放射線画像検出器５のうち、入力操作部３１で選択された放射線画像検出器５を選択する。つまり、撮影予約指示では撮影する患者とすでに対応付けられた放射線画像検出器５の中から当該患者に対して使用する放射線画像検出器５が選択されることで、撮影する患者と当該患者に対して使用する放射線画像検出器５とを対応付ける。
また、制御部２９は、撮影予約指示の入力に基づき、ある一つの放射線画像検出器５が選択されると、通信部３３を介して選択された識別情報を有する放射線画像検出器５の通信部２４に撮影予約指示信号を送信する。【００５０】
また、制御部２９は、入力操作部３１で撮影指示が入力されると、通信部３３を介して撮影指示信号を放射線画像検出器５の通信部２４に送信する。【００５１】
また、制御部２９は、入力操作部３１で起動中止指示が入力されると、通信部３３を介して起動中止指示信号を対応付けられている放射線画像検出器５の通信部２４に送信してからコンソール６の起動を中止してコンソール６の電源が切れた状態（電源ＯＦＦ）となる。一方、入力操作部３１で起動指示が入力されると、制御部２９は、コンソール６の起動を開始してコンソール６の電源が入った状態（電源ＯＮ）となり、通信部３３を介して起動指示信号を対応付けられている放射線画像検出器５の通信部２４に送信する。【００５２】
また、制御部２９は、通信部３３を介して放射線画像検出器５から確認信号が入力されると、通信部３３を介して自身の起動状態を表す情報を起動状態信号を返信する。
また、制御部２９は、通信部３３を介して放射線画像検出器５により検出された画像信号が入力されると、所定の画像処理を行う。【００５３】
また、制御部２９は、通信部３３や入力操作部３１により入力された情報又は指示等を表示部３２に表示させるようになっており、前述した撮影リスト等の他に、コンソール６と対応付けられた放射線画像検出器５に関する各種情報を表示部３２に表示させる。当該放射線画像検出器５に関する各種情報としては、例えば自身と対応付けられた放射線画像検出器５からの画像信号や動作状態信号に基づく放射線画像や動作状態等が挙げられる。なお、表示部３２に表示させる放射線画像としては、画像処理がなされた放射線画像情報や、サムネイル画像などの原画像情報より情報量の少ない縮小画像情報でもよい。【００５４】
次に、放射線画像検出器５について説明する。
放射線画像検出器５は、放射線照射装置１０の放射線源１２から照射されて被写体９を透過した放射線を検出して放射線画像を取得するものであり、撮影を行う際に放射線源１２から照射される放射線の照射範囲に配置されて使用されるものである。なお、放射線画像検出器５は、図１では、被写体９と被写体９を載置する寝台１３との間に配置されているが、放射線画像検出器５を配置する位置はこれに限定されず、例えば、寝台の下方に放射線画像検出器５を装着する検出器装着口（図示しない）を設けて、この検出器装着口に放射線画像検出器５が装着されるようにしてもよい。【００５５】
以下、図３から図６を用いて、放射線画像検出器５の構造について説明する。
放射線画像検出器５は、カセッテ型のフラットパネルディティクタである放射線画像検出器であり、図３に示すように、内部を保護する筐体１４を備えており、カセッテとして携帯可能に構成されている。【００５６】
筐体１４の内部には、照射された放射線を電気信号に変換する撮像パネル１５が層を成して形成されている。撮像パネル１５における放射線の照射面側には、入射された放射線の強度に応じて発光を行う発光層（図示せず）が設けられている。【００５７】
発光層は、一般にシンチレータ層と呼ばれ、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力するものである。【００５８】
この発光層で用いられる蛍光体は、例えば、ＣａＷＯ４等を母体とするものや、ＣｓＩ：ＴｌやＧｄ２Ｏ２Ｓ：Ｔｂ、ＺｎＳ：Ａｇ等の母体内に発光中心物質が付活されたものを用いることができる。また、希土類元素をＭとしたとき、（Ｇｄ，Ｍ，Ｅｕ）２Ｏ３の一般式で示される蛍光体を用いることができる。特に、放射線吸収及び発光効率が高いことよりＣｓＩ：ＴｌやＧｄ２Ｏ２Ｓ：Ｔｂが好ましく、これらを用いることで、ノイズの低い高画質の画像を得ることができる。【００５９】
この発光層の放射線が照射される側の面と反対側の面には、発光層から出力された電磁波（光）を電気エネルギーに変換して蓄積し、蓄積された電気エネルギーに基づく画像信号の出力を行う信号検出部２３２が形成されている。【００６０】
ここで、撮像パネル１５の回路構成について説明する。図４は、信号検出部２３２を構成する１画素分の光電変換部の等価回路図である。【００６１】
図４に示すように、１画素分の光電変換部の構成は、フォトダイオード２３３と、フォトダイオード２３３で蓄積された電気エネルギーをスイッチングにより電気信号として取り出す薄膜トランジスタ（以下ＴＦＴ２３４）とから構成されている。取り出された電気信号は、増幅器２３８により信号読出し回路１７が検出可能なレベルにまで電気信号を増幅するようになっている。なお、増幅器２３８には、ＴＦＴ２３４とコンデンサで構成された図示しないリセット回路が接続されており、ＴＦＴ２３４にスイッチを入れることにより蓄積された電気信号をリセットするリセット動作が行われるようになっている。なお、フォトダイオード２３３は、単に規制キャパシタンスを有したフォトダイオードでもよいし、フォトダイオード２３３と光電変換部のダイナミックレンジを改良するように追加コンデンサを並列に含んでいるものでもよい。また、フォトダイオード２３３及びＴＦＴ２３４は、液晶ディスプレイ等に使用されている無機半導体系のもの、有機半導体を用いたもののいずれであってもよい。【００６２】
図５は、このような光電変換部を二次元に配列した等価回路図であり、画素間には、走査線Ｌｌと信号線Ｌｒが直交するように配設されている。前述のフォトダイオード２３３には、ＴＦＴ２３４が接続されており、ＴＦＴ２３４が接続されている側のフォトダイオード２３３の一端は信号線Ｌｒに接続されている。一方、フォトダイオード２３３の他端は、各行に配された隣接するフォトダイオード２３３の一端と接続されて共通のバイアス線Ｌｂを通じてバイアス電源２３９に接続されている。このバイアス電源２３９の一端は制御部２７に接続され、制御部２７からの指示によりバイアス線Ｌｂを通じてフォトダイオード２３３に電圧がかかるようになっている。また各行に配されたＴＦＴ２３４は、共通の走査線Ｌｌに接続されており、走査線Ｌｌは走査駆動回路１６を介して制御部２７に接続されている。同様に、各列に配されたフォトダイオード２３３は、共通の信号線Ｌｒに接続されて制御部２７に制御される信号読出し回路１７に接続されている。信号読出し回路１７には、撮像パネル２３から近い順に、増幅器２３８、サンプルホールド回路２４０、アナログマルチプレクサ２４１、Ａ／Ｄ変換機２４２が共通の信号線Ｌｒ上に配されている。なお、本実施形態では光電変換素子としてのフォトダイオード２３３を用いた場合を例示したが、光電変換素子はフォトダイオード以外の固体撮像素子を用いてもよい。【００６３】
この信号検出部２３２の側部には、図３に示すように各光電変換素子にパルスを送って当該各光電変換素子を走査・駆動させる走査駆動回路１６と、各光電変換素子に蓄積された電気エネルギーを読み出す信号読出し回路１７とが配されている。【００６４】
また、図３及び図６に示すように放射線画像検出器５は、フラッシュメモリやＲＡＭなどの書き換え可能なメモリからなる画像記憶部１８を備えており、画像記憶部１８は、撮像パネル１５から出力された画像信号を記憶するものであり、内蔵型のメモリやメモリカード等の着脱可能なメモリのいずれでもよい。【００６５】
また、放射線画像検出器５には、放射線画像検出器５を構成する複数の駆動部（走査駆動回路１６、信号読出し回路１７、画像記憶部１８、通信部２４（後述）、インジケータ２５（後述）、撮像パネル１５など）に電力を供給する電力供給源としての内蔵電源１９が設けられている。内蔵電源１９としては、例えばマンガン電池、アルカリ電池、アルカリボタン電池、リチウム電池、酸化銀電池、空気亜鉛電池、水銀電池、鉛電池等の電池や、例えばニッケル・カドミウム電池、ニッケル水素電池、リチウムイオン電池、小型シール鉛電池、鉛蓄電池等の充電自在な充電池、燃料電池、太陽電池などから適宜選択して構成させればよい。以下の説明では、充電池を使用した例について説明する。【００６６】
筐体１４の一端には充電用の端子２２が形成されており、例えば、図１に示すように、放射線画像検出器５をクレードル等の充電用装置３４に装着することによって充電用装置３４側の端子（図示せず）と筐体側の端子２２とが接続されて充電池の充電が行われるように構成されている。また、内蔵電源１９は、例えば、筐体１４の側部から引き出すことにより交換可能となっている。【００６７】
また、放射線画像検出器５には、コンソール６等の外部装置との間で各種信号の送受信を行う通信部２４（図６参照）が設けられている。通信部２４は、例えば、撮像パネル１５から出力された画像信号や動作状態信号をコンソール６に転送し、コンソール６等から送信される撮影予約指示信号及び撮影指示信号、起動中止指示信号等を受信する。【００６８】
また、筐体１４の表面一端には、内蔵電源１９の充電状況や各種の操作状況等を表示して報知するインジケータ２５が設けられており、操作者が放射線画像検出器５の動作状態等を目視にて確認することが可能に構成される。【００６９】
ここで、本実施形態における放射線画像検出器５は、ネットワーク７上の特定のコンソール６と対応付けられて使用するようになっている。対応付けは、放射線画像検出器５を撮影に使用する撮影室１１に設置する際等、撮影を行う前に予め撮影に使用する撮影室１１を管理するコンソール６の入力操作部３１から撮影に使用する放射線画像検出器５の識別情報（例えば、ＩＤ、バーコード等）が入力されることで行われる。また、他の撮影室１１を管理するコンソール６から撮影室１１を管理するコンソール６と放射線画像検出器５の両方の識別情報を入力してもよい。【００７０】
なお、対応付けの入力手段は、前述の例に限定されず、ネットワーク７上の入力操作部を有する各装置や、図示しないがネットワーク７上に接続された医師のいる診断室内に設置されたＰＣ等でもよい。また、放射線画像検出器５に入力操作部がある場合には、放射線画像検出器５を入力手段としてもよい。【００７１】
また、放射線画像検出器５は、自身に対応付けられているコンソール６を把握するように構成されている。その手段としては、例えば、対応付けが行われると、その情報がサーバ２に送られてネットワーク７内の一組の対応付け情報が生成されて蓄積され、以降、ネットワーク７に接続された各装置は、サーバ２内に蓄積された対応付け情報を共有できるように構成されればよい。ここでは、対応付けが行われると、サーバ２から対応付けが行われた放射線画像検出器５に対して、対応付け情報が送られる、あるいは、定期的に通信部２４を介してサーバ２内の対応付け情報にアクセスを行うことで、自身と対応付けられたコンソール６がネットワーク７上のいずれであるかを把握している。【００７２】
なお、対応付けの把握方法も、前述の例に限定されず、一旦対応付けが行われると、対応付けを行った制御部２９は、その情報をサーバ２と対応付けが行われた放射線画像検出器５に対して送信し、当該情報を受信した放射線画像検出器の制御部２７は、自身と対応付けられる関係にあるコンソール６を把握する構成としてもよい。対応付けは、単にネットワーク７上において、コンソール６と放射線画像検出器５の組み合わせを決めることができればよく、その際の組み合わせを決める方法・順番・手段・タイミング等は問わない。【００７３】
また、放射線画像検出器５は、対応付けが行われる毎に対応付けされるコンソール６が上書き更新される、つまり、先に対応付けられていたコンソール６との対応付けを解除して、新たに入力された識別情報を有するコンソール６との対応付けを把握するようになっている。なお、一旦、撮影指示信号が入力されると、所定時間経過するまで対応付けられていたコンソール６との対応付けを解除することができないようにすることが好ましい。【００７４】
さらに、放射線画像検出器５は、自身に対応付けられているコンソール６の起動状態を検知する対応付け検知手段２３を備えている。対応付け検知手段２３は、対応付けが行われると、自身に対応付けられているコンソール６に対して、コンソール６の起動状態を確認する確認信号を送信し、当該確認信号に対してコンソール６から返信されるコンソール６の起動状態を表す信号（起動状態信号）に基づいて、自身に対応付けられているコンソール６の起動状態を検知するように構成されている。【００７５】
なお、対応付け検知手段２３が、自身に対応付けられているコンソール６の起動状態を検知する方法としては、前述の例に限定されず、コンソール６で対応付け指示が入力された際に、当該コンソール６の制御部２９が、起動状態信号を当該コンソール６と対応付けられた放射線画像検出器５に対して送信することで検知する構成としてもよい。【００７６】
また、対応付け検知手段２３が、自身に対応付けられているコンソール６の起動状態を検知するタイミングとしては、前述の例に限定されず、コンソール６の入力操作部３３で入力される起動指示や撮影予約指示等の各種指示に基づいて送信された各種指示信号を受信した場合に行ってもよいし、放射線画像検出器５の起動中、定期的に自身に対応付けられているコンソール６に対して、確認信号を送信してもよい。この場合、放射線画像検出器５が返信信号を受信しない場合は、放射線画像検出器５に対応付けられているコンソール６が起動していない、あるいは、自身と対応付けられているコンソール６が故障し、当該コンソール６が撮影に使用できない状態にあることを検知することが可能である。【００７７】
また、放射線画像検出器５には、対応付け検知手段２３により検知された自身と対応付けられたコンソールの起動状態に応じて内蔵電源１９から放射線画像検出器５の各駆動部に対して供給される電力供給の状態を制御する電力供給手段２１が備えられている。放射線画像検出器５では、消費電力量の異なる複数の電力供給の状態として、撮影可能状態と、撮影待機状態と、待機準備状態とを有し、電力供給手段２１によりこれら電力供給の状態を切替え設定することができるように構成されている。【００７８】
以下、撮影可能状態及び撮影待機状態、待機準備状態について説明する。
撮影可能状態では、撮影動作が行われており、撮影可能状態は、撮影動作を行うにあたって必要な駆動部に電力が供給されている状態である。撮影可能状態は、少なくとも放射線を検出するのに必要な駆動部に電力が供給されている状態であり、本実施形態では例えば、走査駆動回路１６、信号読出し回路１７、フォトダイオード２３３、ＴＦＴ２３４、画像記憶部１８、通信部２４といった駆動部に対して電力が供給されて、撮像パネル１５の初期化、照射された放射線に応じて生成された電気エネルギーの蓄積、電気信号の読み取り、及び画像信号の転送等の各動作からなる一連の撮影動作を行うことが可能となっている。なお、初期化では、撮像パネル１５におけるリセット動作及び空読み動作が行われるようになっている。【００７９】
一方、撮影待機状態では、撮影動作が行われていないが、撮影可能状態より消費電力が低い状態で、かつ、撮影可能状態への迅速な移行を可能とするように各駆動部に電力が供給されている状態である。撮影待機状態は、例えば撮影可能状態への迅速な移行が可能な信号読出し回路１７を除いた駆動部に電力が供給される構成とすることができ、本実施形態では、走査駆動回路１６、フォトダイオード２３３、ＴＦＴ２３４、画像記憶部１８、通信部２４、インジケータ２５といった駆動部に対して電力が供給されている。つまり、撮影待機状態は、非撮影時における無駄な消費電力を削減しつつ、すぐに撮影動作を開始する可能性はないが撮影動作を行う可能性がある状況に対応させることができる状態となっている。【００８０】
また、待機準備状態も撮影動作が行われていないが、待機準備状態は、撮影待機状態より消費電力が低い状態で、かつ、コンソール６からの信号で起動できる状態であり、少なくともコンソール６からの信号を受信して放射線画像検出器５の動作状態を遷移させることが可能な状態である。本実施形態では例えば、通信部２４に対して電力が供給されている。つまり、待機準備状態は、撮影動作を行う可能性がある状況に対応させることはできないが、非撮影時における無駄な消費電力を大幅に削減することができる状態となっている。【００８１】
このような電力供給の状態を備えた放射線画像検出器５では、対応付け検知手段２３が、当該放射線画像検出器５と対応付けられているコンソール６が起動していることを検知した場合、例えば起動指示信号が通信部２４を介して制御部２７に入力されたことを検知した場合に、電力供給手段２１により放射線画像検出器の動作状態を撮影待機状態とするようになっている。【００８２】
さらに、対応付け検知手段２３が当該放射線画像検出器５と対応付けられているコンソール６が起動し、撮影動作を開始することを検知した場合、例えばコンソール６に撮影予約指示が入力され、撮影予約指示信号が通信部２４を介して制御部２７に入力されたことを対応付け検知手段２３が検知した場合に、電力供給手段２１により放射線画像検出器５の動作状態を撮影可能状態とするようになっている。【００８３】
また、対応付け検知手段２３が当該放射線画像検出器５と対応付けられているコンソール６が起動していないことを検知した場合、例えば起動中止指示信号が通信部２４を介して制御部２７に入力されたことを検知した場合に、電力供給手段２１により放射線画像検出器の動作状態を待機準備状態とするようになっている。【００８４】
また、撮影可能状態になってから所定時間の間に制御部２７に撮影指示信号が入力されないことを検知した場合には、所定時間経過後に撮影待機状態とするようになっている。また、撮影動作終了後、電力供給手段２１は、放射線画像検出器５の動作状態を撮影待機状態とするようになっている。【００８５】
これにより、電力供給手段２１では、当該放射線画像検出器５と対応付けられたコンソール６の起動状態に応じて、放射線画像検出器５の電力供給状態を切替えることで、自身の動作状態の切替えが可能となっている。【００８６】
また、図６に示すように、放射線画像検出器５は、例えば、汎用のＣＰＵ、ＲＯＭ、ＲＡＭ等（いずれも図示せず）から構成された制御部２７を有する制御装置２８を備えており、制御部２７は、ＲＯＭに格納される所定のプログラムを読み出してＲＡＭの作業領域に展開し、当該プログラムに従ってＣＰＵが各種処理を実行するようになっている。【００８７】
制御部２７には、通信部２４で受信された信号が入力されるようになっており、制御部２７は通信部２４で受信された信号に基づいて各駆動部の制御を行うようになっている。例えば、制御部２７では、通信部２４に撮影指示信号及び撮影予約指示信号、起動中止指示信号が通信部２４に受信された場合に、受信された指示信号に基づいて前述した放射線画像検出器５の動作状態の切替えを電力供給手段２１に行わせる。【００８８】
また、制御部２７は、放射線画像検出器５の動作状態として、起動中の放射線画像検出器５が前述した動作状態のうちいずれの状態にあるかを表す動作状態情報を動作状態信号として出力し、通信部２４を介して対応付けられたコンソール６に送信する。【００８９】
また、制御部２７は、走査駆動回路１６を駆動させて各光電変換素子にパルスを送り、当該各光電変換素子を走査・駆動させる。そして、各光電変換素子に蓄積された電気エネルギーを信号読出し回路１７によって読み出させ、読み出された画像信号を制御部２７に送らせる。制御部２７は送られた画像信号を画像記憶部１８に記憶させるとともに、通信部２４を介してコンソール６の通信部３３に送らせる。【００９０】
次に、本実施形態に係る放射線画像撮影システム１の作用について説明する。
新たに放射線画像検出器５を撮影室１１に設置して撮影に使用する際には、コンソール６で事前に撮影に使用する放射線画像検出器５の登録を行い、放射線画像検出器５とコンソール６を対応付ける。【００９１】
具体的には、まず、撮影に使用する撮影室１１を管理するコンソール６の起動中に、当該撮影室１１に放射線画像検出器５を設置する際に、放射線技師により当該コンソール６の入力操作部３１において、設置する放射線画像検出器５の識別情報が入力されると、制御部２９は当該放射線画像検出器５との対応付けを行い、同時に、通信部を介してサーバ２内に対応付け情報を送信する。【００９２】
すると、放射線画像検出器５はサーバ２から送られた対応付け情報に基づき、自身に対応付けられたコンソール６を把握する。
そして、制御部２９は、通信部２４を介して自身に対応付けられているコンソール６に対して、確認信号を送信する。【００９３】
確認信号を受信したコンソールの制御部２９では、通信部３３を介して自身の起動状態を表す情報としての起動状態信号を送信する。【００９４】
その後、起動状態信号を受信した放射線画像検出器５の制御部２７は、対応付け検知手段２３に自身に対応付けられているコンソール６の起動状態を検知させる。そして、制御部２７は、対応付け検知手段２３が自身と対応付けされたコンソールが起動していることを検知した場合、電力供給手段２１に放射線画像検出器の動作状態を撮影待機状態に切替えさせる。一方、制御部２７は、対応付け検知手段２３が対応付け検知手段２３により自身と対応付けされたコンソールが起動していないことを検知した場合、電力供給手段２１に放射線画像検出器の動作状態を待機準備状態に切替えさせる。【００９５】
このようにして、撮影室１１内で使用する放射線画像検出器５と当該撮影室１１を管理するコンソール６とを対応付けた状態にしておき、撮影を行う際に、撮影リストの中から次に撮影を行う患者とこの患者に対して使用する放射線画像検出器５を選択して、撮影を行う。【００９６】
具体的には、放射線画像検出器５と対応付けられた状態にあるコンソール６において、放射線技師により当該コンソール６の入力操作部３１から起動指示が入力され、制御部２９は、コンソール６の起動を開始し、通信部３３を介して対応付けられている放射線画像検出器５に起動開始指示信号を送信する。【００９７】
起動開始指示信号を受信すると、放射線画像検出器５は、対応付け検知手段２３により自身に対応付けられているコンソール６が起動していることを検知し、電力供給手段２１により内蔵電源１９から放射線画像検出器５の各駆動部に対して供給される電力供給の状態が制御され、放射線画像検出器５の動作状態を撮影待機状態に切替える。【００９８】
そして、撮影時に、放射線技師により撮影室１１を管理するコンソール６の入力操作部３１において、サーバ２などから送信された撮影リストの中から次に撮影を行う患者とその患者に対して使用する特定の放射線画像検出器５が選択されると、撮影室１１内で次に行われる撮影に使用される放射線画像検出器５の識別情報が入力され、入力操作部３１に撮影予約指示が入力される。【００９９】
撮影予約指示が入力されると、制御部２９は、対応付けがなされている放射線画像検出器５のうち、識別情報が入力された放射線画像検出器５との対応付けを選択し、同時に、通信部３３を介して識別情報が入力されて対応付けが選択された放射線画像検出器５の通信部２４に対して撮影予約指示信号を送信する。【０１００】
その後、放射線画像検出器５では、通信部２４を介して撮影予約指示信号を受信し、その旨制御部２７に出力される。【０１０１】
撮影予約指示信号を受信すると、制御部２７は、電力供給手段２１に放射線画像検出器の動作状態を撮影可能状態に切替えさせ、同時に、通信部２４を介して自身に対応付けられたコンソール６に動作状態信号を送信する。当該動作状態信号を受信したコンソール６の制御部２９では、放射線画像検出器５の動作状態を表示部３２に表示させる。以降、放射線画像検出器５では、自身と対応付けられたコンソール６に放射線画像検出器５の動作状態信号を適宜送信し、放射線画像検出器５と対応付けられたコンソール６では、表示部３２に放射線画像検出器５の動作状態を表示させる。【０１０２】
そして、撮影可能状態に切替わってから所定時間の間、放射線画像検出器５では、制御部２７に撮影指示情報が入力されたか否か検知する。【０１０３】
この間に、コンソール６の入力操作部３１から撮影指示が入力され、通信部３３を介して撮影指示情報が放射線照射操作装置３及び放射線画像検出器５に送信される。【０１０４】
その後、放射線照射操作装置３が撮影指示情報を受信し、放射線照射装置１０を制御して放射線源１２から放射線を照射する。すると、放射線画像検出器５の撮像パネル１５は放射線を検出して、検出された放射線を電気信号に変換して蓄積する。その後、制御部２７は、走査駆動回路１６を走査・駆動させ、信号読出し回路１７により各光電変換素子に蓄積された電気エネルギーを読み出させ、読み出された画像信号を画像記憶部１８に記憶させるとともに、通信部２４を介して対応付けがなされたコンソール６の通信部３３に送信する。【０１０５】
ここで、撮影可能状態に切替わってから所定時間の間、制御部２７に撮影指示情報が入力されない場合には、電力供給手段２１は、所定時間経過後、放射線画像検出器の動作状態を撮影待機状態に切り替え、再び撮影予約指示信号が通信部２４に受信されるまで待機する。【０１０６】
そして、撮影動作が終了し、放射線画像検出器５の電力供給手段２１は、動作状態を撮影待機状態に切り替え、放射線画像検出器５は、撮影予約指示信号が再び通信部２４に受信されるまで待機する。【０１０７】
その後、コンソール６が通信部３３を介して放射線画像検出器５からの画像信号を受信すると、制御部２９は、画像処理を行った後、放射線画像検出器５で検出された放射線画像情報として表示部３２に表示させる。【０１０８】
なお、放射線画像検出器５がネットワーク７上の特定のコンソール６と対応付けられた以降の動作において、放射線技師によりコンソール６の入力操作部３１からコンソールの起動を中止する旨の指示が入力されると、制御部２９に起動中止指示が入力され、制御部２９は通信部３３を介して起動中止指示信号を当該コンソール６と対応付けられた放射線画像検出器５に対して送信し、その後、コンソール６の電源を切る。一方、放射線画像検出器５の制御部２７に、通信部２４を介して起動中止指示信号が入力されると、電力制御部２１は、その旨を検知して放射線画像検出器５の動作状態を待機準備状態にする。そして、放射線画像検出器５は、通信部２４に起動指示信号が受信されるまで待機する。【０１０９】
その後、放射線技師がコンソール６の入力操作部３１にてコンソールを起動する旨の指示を入力すると、制御部２９に起動指示が入力され、通信部３３を介して起動指示信号がすでに対応付けられた放射線画像検出器５に対して送信される。通信部２４を介して起動指示信号が放射線画像検出器５に入力されると、電力制御部２１は、その旨を検知して放射線画像検出器５の動作状態を撮影待機状態にし、放射線画像検出器５は、通信部２４に撮影予約指示信号が受信されるまで待機する。【０１１０】
なお、その後、放射線画像検出器５が他の撮影室１１に移動した場合には、例えば、移動先の撮影室１１に搬入される際に、放射線技師により当該撮影室１１を管理するコンソール６の入力操作部３１から放射線画像検出器５の識別情報が入力される。このとき、移動先の撮影室１１を管理するコンソール６が起動していない場合には、当該コンソール６の入力操作部３１から起動指示を入力して当該コンソール６を起動させた後、放射線画像検出器５の識別情報を入力する。
識別情報が入力されると、制御部２９は識別情報が入力された放射線画像検出器５との対応付けを行い、同時に、先に対応付けられていた放射線画像検出器との対応付けを解除する。そして、制御部２９は、新たに行われた対応付けに関する対応付け情報をサーバ２に送信する。
すると、サーバ２から新たに対応付けられた放射線画像検出器５に対して対応付け情報が送られる。
対応付け情報を受信した放射線画像検出器５では、サーバ２から送られた対応付け情報に基づき、自身に対応付けられたコンソール６を把握する。【０１１１】
そして、当該移動先の撮影室で次の撮影が行われるときには、撮影の際、当該撮影室を管理するコンソール６によって放射線画像検出器５が操作され、放射線画像検出器５によって読み出された画像信号は新たに対応付けがなされたコンソール６に対して送信される。【０１１２】
以上のように本実施形態によれば、放射線画像検出器５では、ネットワーク７上の特定のコンソール６と対応付けられ、対応付け検知手段２３により対応付けられたコンソール６の起動状態を検知し、その起動状態に応じて自身の電力供給の状態、つまり動作状態を自動的に切替えることができる。【０１１３】
その際、対応付けられたコンソール６が起動し、撮影予約指示が入力された場合では、放射線画像検出器５は、撮影可能状態として起動し、この状態で撮影指示が入力された場合に撮影動作が行われる。【０１１４】
一方、対応付けられたコンソール６が起動し、撮影予約指示が入力された場合であっても、撮影可能状態にしてから所定時間内にコンソール６からの撮影指示がない場合、例えば何らかのアクシデントにより撮影を中断したい場合等では、放射線画像検出器５は動作状態を撮影待機状態にして、無駄な消費電力を削減しつつ、迅速に撮影可能状態へ移行することができる。【０１１５】
また、対応付けられたコンソール６が起動しているが、撮影予約指示が入力されていない場合、例えば昼間の病院内での放射線撮影など、すぐに撮影動作を開始する可能性はないが撮影動作を行うことが予想される状況では、放射線画像検出器５は動作状態を撮影待機状態にして、無駄な消費電力を削減しつつ、迅速に撮影可能状態へ移行することができる。【０１１６】
また、対応付けられているコンソール６が起動していない場合、例えば夜間の病院内での放射線撮影など、ほとんど撮影動作を行うことがないと予想される状況では、放射線画像検出器５は動作状態を待機準備状態として起動しており、通信部２４での外部信号の受信によりいつでも状態遷移をすることが可能な状態となっているので、無駄な消費電力を大幅に削減することができ、放射線画像検出器５の電源の切り忘れも防ぐことができる。【０１１７】
したがって、放射線画像撮影システム１では、放射線画像検出器５を起動させるための操作の手間や起動待ちの時間を省くことができ、撮影の際の操作性を向上させることができる。また、放射線画像検出器５の電源の入れ忘れにより起動していない放射線画像検出器５を誤って使用して患者に再撮影を強いることもなく、操作ミスにより患者に不要な被曝を高じさせるのを防ぐことができる。
また、放射線画像検出器５を移動して他の撮影室１１に設置して使用した場合でも、対応付けが行われたコンソール６に画像信号を送信することができ、ネットワーク７の構成の自由度を向上させて撮影の際の操作性を一層向上させることができる。【０１１８】
また、コンソール６では、起動中に対応付けられた放射線画像検出器５の各種情報のうち、動作状態を表示部３２に表示させることができるので、放射線技師は、対応付けられた放射線画像検出器５の動作状態をコンソール６上で確認することができ、その動作状態に応じて次の指示を与えるなどの対処を施すことができ、撮影の際の操作性を向上させることができる。【０１１９】
なお、本発明は上記実施形態に限らず適宜変更可能であるのは勿論である。
本実施形態では、放射線画像検出器５の動作状態として、３種類の状態（撮影可能状態、撮影待機状態、待機準備状態）を備えたが、ここに例示した３種類に限定されず、例えば、電力供給状態では経時的に劣化する性質をもつフォトダイオード２３３及びＴＦＴ２３４についてのみ電力供給を停止させる撮影待機状態、画像記憶部１８及び通信部２４以外に対しては全て電力供給を停止するが一旦電力供給を停止した後再度立ち上げるまでに時間のかかるフォトダイオード２３３及びＴＦＴ２３４についてのみ他の駆動部よりも早く電力の供給を開始させる撮影待機状態等としてもよい。さらに複数の種類の撮影待機状態を有するようにしてもよい。【０１２０】
また、本実施形態では、ネットワーク７上の各種装置との通信を無線通信方式により行わせたが、有線通信方式により行わせてもよい。この場合には、放射線画像検出器５は、通信部２４を起動させコンソール６からの信号を常に検知する必要がなく、ケーブルなどを介してネットワーク７上の装置から送られた放射線画像検出器５へ信号が入力されると、放射線画像検出器５を起動させることが可能である。そのため、放射線画像検出器５の動作状態のうち、最も消費電力の少ない待機準備状態を放射線画像検出器５に電力が全く供給されていない状態とすることが可能であり、コンソール６の電源のＯＮ／ＯＦＦに対応して放射線画像検出器５の電源のＯＮ／ＯＦＦを行うことが可能である。【０１２１】
例えば、本実施形態では、撮影予定の患者に対してその撮影に使用する放射線画像検出器５を選択することで、撮影予約の指示が入力されたが、撮影リスト上に予め使用予定の放射線画像検出器が決められている患者が記載されている場合には、撮影リスト上で、患者を選択することで、撮影予約指示が入力される構成としてもよい。【０１２２】
また、コンソール６や放射線画像検出器５での手入力によらず、ＩＣタグ付きの放射線画像検出器５を撮影室の出入り口に備えたセンサを通過させることにより、撮影室に放射線画像検出器５を持ち込む際に当該放射線画像検出器５の認識情報をセンサを通じてコンソール６が検知することも可能である。【０１２３】
また、センサは、基地局４が兼ねることも可能である。この場合、ネットワーク７内には、一定範囲ごとに基地局４が備えられており、各基地局４では、各基地局４が管理している範囲内に存在する放射線画像検出器５を認識して、基地局４ごとに対応付けられたコンソールに当該放射線画像検出器を対応付けることも可能である。【０１２４】
また、本実施形態では、コンソール６と放射線画像検出器５を対応付ける対応付け行為と、撮影動作を行う際のトリガとなる撮影行為（コンソール６での撮影予約指示の入力行為）を別の行為とし、両者を同時に行わなかったが、両者を兼用させ、対応付け行為と撮影行為を同時に行ってもよい。【０１２５】
この場合、撮影に使用する撮影室に放射線画像検出器５を設置する際に、放射線技師により当該コンソール６の入力操作部３１において、設置する放射線画像検出器５の識別情報を入力し、同時にサーバ２内にアクセスして撮影リストの中から次に撮影を行う患者を選択して入力を行う。すると、コンソール６の入力操作部３１では、識別情報を入力したコンソール６と、当該識別情報が入力された放射線画像検出器５と、その放射線画像検出器５を用いて次に撮影を行う患者とが対応付けられ、対応付け指示と撮影予約指示の入力が同時に行われ、通信部３３を介して対応付け情報をサーバ２に送信すると同時に、起動状態信号を対応付けられた放射線画像検出器５に送信する。
次いで、放射線画像検出器５では、制御部２７は、サーバ２から送られた対応付け情報に基づき、自身に対応付けられたコンソール６の把握と、対応付け検知手段２３による自身に対応付けられたコンソール６の起動状態の検知を同時に行う。
そして、制御部２７は、対応付け検知手段２３が自身と対応付けされたコンソールが起動していることを検知すると、電力供給手段２１に放射線画像検出器の動作状態を撮影可能状態に切替えさせて、以降、続きの撮影動作が行われる。【０１２６】
このように、対応付けと撮影予約の指示を同時に入力する構成の放射線画像撮影システム１では、特に、緊急に撮影を行いたい場合（例えば、起動しているコンソールと対応付けられたとき）、放射線画像検出器５を起動させるための操作の手間や起動待ちの時間をさらに省いて、撮影の際の操作性を向上させることができる。【０１２７】
〔第２実施形態〕
次に第２実施形態について説明する。
第２実施形態では、第１実施形態における放射線画像撮影システム１が放射線画像検出器に対応付けられたコンソールの状態の一例として、コンソールの起動状態に応じて電力供給状態を制御する、つまり、対応付けられたコンソールの起動状態を検知し、その状態に応じて放射線画像検出器の電力供給状態を制御したのに対し、対応付けられたコンソールで行われる動作の進行状態に応じて電力供給状態を制御する場合について説明する。したがって、以下の説明では、放射線画像検出器５及びコンソール６の制御部の説明を中心に行い、第１実施形態と同様の箇所については、その詳細な説明を省くと共に、同一の符号を付して説明を行う。【０１２８】
まず、コンソール６について説明する。
図７に示すように、コンソール６は、入力操作部３１、表示部３２、通信部３３等を備えており、これら各部材は、制御装置３０内の制御部３５に接続されている。なお、各コンソール６には、ネットワーク７上の複数のコンソール６を区別するための識別番号（例えば、ＩＤ、バーコード等）が付与されている。【０１２９】
本実施形態において、入力操作部３１では、例えば、入力指示として、対応付け指示や撮影予約指示、撮影指示を入力するようになっている。【０１３０】
制御部３５には、入力操作部３１からの入力指示や通信部３３を介して外部から受信した情報が入力されるようになっており、入力された指示又は情報について所定の処理を行うものである。【０１３１】
例えば、制御部３５は、入力操作部３１で対応付け指示が入力されると、入力操作部３１で識別情報が入力された放射線画像検出器５とコンソール６との対応付けを行うとともに、通信部３３を介してコンソール６と対応付けられた放射線画像検出器５の通信部２４に対応付け変更信号を送信する。
なお、制御部３５は、入力操作部３１で撮影室１１内で使用される放射線画像検出器５の識別情報のみが入力された場合には、入力された識別情報が付与された放射線画像検出器５とコンソール６との対応付けを行う。
また、制御部３５は、入力操作部３１で対応付け指示が入力されると、その都度対応付けされる放射線画像検出器５を追加する。
また、制御部３５は、入力操作部３１で撮影予約指示が入力されると、すでに自身に対応付けられている放射線画像検出器５のうち、入力操作部３１で選択された放射線画像検出器５を選択する。つまり、撮影予約指示では撮影する患者とすでに対応付けられた放射線画像検出器５の中から当該患者に対して使用する放射線画像検出器５が選択されることで、撮影する患者と当該患者に対して使用する放射線画像検出器５とを対応付ける。
また、制御部３５は、撮影予約指示の入力に基づき、ある一つの放射線画像検出器５が選択されると、通信部３３を介して選択された識別情報を有する放射線画像検出器５の通信部２４に撮影予約指示信号を送信する。【０１３２】
また、制御部３５は、入力操作部３１で撮影指示が入力されると、通信部３３を介して撮影指示信号を放射線画像検出器５の通信部２４に送信する。【０１３３】
また、制御部３５は、通信部３３を介して放射線画像検出器５により検出された放射線画像情報が入力されると、所定の画像処理を行う。【０１３４】
また、制御部３５は、入力操作部３１や通信部３３により入力された指示又は情報等を表示部３２に表示させるようになっており、前述した撮影リスト等の他に、放射線画像、サムネイル画像、コンソール６と対応付けられた放射線画像検出器５の動作情報等を表示部３２に表示させる。コンソール６と対応付けられた放射線画像検出器５の動作情報としては、例えばコンソール６との対応付けが解除された旨や対応付けられた放射線画像検出器５の動作が未完了である旨が挙げられる。【０１３５】
次に、放射線画像検出器５について説明する。
図８に示すように、放射線画像検出器５には、撮像パネル１５、走査駆動回路１６、信号読出し回路１７、画像記憶部１８、通信部２４、インジケータ２５、内蔵電源１９が設けられており、図７に示すように、これら各部材は、制御装置２８内の制御部３６に接続されて構成されている。なお、各放射線画像検出器５には、ネットワーク７上の複数の放射線画像検出器５を区別するための識別番号（例えば、ＩＤ、バーコード等）が付与されている。【０１３６】
なお、本実施形態における通信部２４は、例えば、撮像パネル１５から出力された画像信号をコンソール６に転送し、コンソール６等から送信される対応付け変更指示信号及び撮影指示信号等を受信するものである。【０１３７】
また、放射線画像検出器５には、自身と対応付けられたコンソールからの指示に基づく動作の進行状況を確認する検知手段４０が備えられている。【０１３８】
検知手段４０は、放射線画像検出器５に対応付けられているコンソール６からの指示に基づく動作が完了したか否かを検知し、対応付け変更信号が入力された制御部３６からの指示に基づき、その旨を制御部３６に出力するように構成されている。また、検知手段４０は、放射線画像検出器５に対応付けられているコンソール６からの指示に基づく動作が完了したことを検知すると、その旨制御部３６に出力するように構成されている。【０１３９】
放射線画像検出器５で行われる動作としては、撮影可能状態にある撮影動作と、撮影待機状態及び待機準備状態のいずれかの状態にある撮影待機動作とがあり、これら動作は、制御部３６により切替え設定できるようになっている。【０１４０】
また、放射線画像検出器５には、制御部３６からの指示に基づき、対応付けられているコンソール６との対応付けを解除する解除手段４１が備えられている。【０１４１】
制御部３６には、通信部２４で受信された信号が入力されるようになっており、制御部３６は通信部２４で受信された信号に基づいて各駆動部の制御を行うようになっている。例えば、制御部３６では、自身の識別情報が含まれる対応付け変更指示信号が通信部２４に受信された場合に、検知手段４０に自身と対応付けされたコンソール６からの指示に基づく動作の進行状況として画像データの送信状況を確認する動作を行わせるようになっている。【０１４２】
また、制御部３６は、検知手段４０から自身に対応付けられているコンソール６の動作が完了した旨、例えば画像データが送信済みであるなどの信号が入力されると、解除手段４１に自身に対応付けられているコンソール６との対応付けを解除させ、通信部２４を介して対応付けが解除されるコンソール６の通信部３３に対して対応付けが解除された旨の信号を送信させるように構成されている。なお、特定のコンソール６との対応付けが解除された放射線画像検出器５の制御部３６では、新たなコンソール６との対応付けが可能となるように制御構成がなされている。そして、制御部３６は、対応付けが解除された旨の信号を送信させた後、自身の識別情報が含まれている対応付け変更指示信号を送信したコンソール６（次のコンソール６）との対応付けを行うように構成されている。【０１４３】
一方、制御部３６は、検知手段４０から自身に対応付けられているコンソール６の動作が完了していない旨、例えば、画像データが未送信であるなどの信号が入力されると、解除手段４１に自身に対応付けられているコンソール６との対応付けを解除させないようにし、通信部２４を介して自身の識別情報が含まれている対応付け変更指示信号を送信したコンソール６（次のコンソール６）に対して動作が未完了である旨の信号を送信させるように構成されている。そして、制御部３６は、動作が未完了である旨の信号を送信させた後、各駆動部に続きの動作を行わせるように構成されている。【０１４４】
また、制御部３６は、通信部２４を介して撮影指示信号が入力されると、走査駆動回路１６を駆動させて各光電変換素子にパルスを送り当該各光電変換素子を走査・駆動させるようになっている。そして、各光電変換素子に蓄積された電気エネルギーを信号読出し回路１７によって読み出させ、読み出された画像信号を制御部３６に送らせるようになっている。制御部３６は送られた画像信号を画像記憶部１８に記憶させるとともに、通信部２４を介してコンソール６の通信部３３に送らせるようになっている。【０１４５】
次に、本実施形態に係る放射線画像撮影システムの作用について説明する。【０１４６】
放射線画像検出器５を撮影に使用する際には、放射線技師により撮影に使用するコンソール６において、事前に撮影に使用する放射線画像検出器５の識別情報が入力されることで対応付けが行われる。そして、放射線画像検出器５とコンソール６は、対応付けがなされた状態となる。【０１４７】
その後、放射線画像検出器５は、通信部２４を介してサーバ２内の対応付け情報にアクセスを行い、自身と対応付けられたコンソール６がネットワーク７上のいずれであるか把握している一方で、自身の識別情報が含まれる対応付け変更指示信号が受信されているかどうかを絶えず検知する。【０１４８】
一方、コンソール６は、起動中、サーバ２から撮影リストが送信されるまで待機しており、撮影リストが通信部３３を介して受信されると、放射線技師はコンソール６の入力操作部３１にて、撮影リスト上の患者の中から次に撮影を行う患者を選択し、その患者に対して使用する特定の放射線画像検出器５を選択する。【０１４９】
すると、入力操作部３１に撮影予約指示が入力され、コンソール６の制御部３５は入力された識別情報に基づいて放射線画像検出器５の対応付けを変更すると同時に、この入力内容を対応付け変更指示信号として通信部３３を介してネットワーク７上の放射線画像検出器５の通信部２４に送信する。【０１５０】
その後、通信部２４を介して自身の識別情報が含まれている対応付け変更指示信号を受信した放射線画像検出器５の制御部３６は、検知手段４０に動作の進行状況を確認させる。【０１５１】
検知手段４０は、動作の進行状況を確認して、画像データをコンソール６に送信し、自身に対応付けられているコンソール６からの指示に基づく動作が完了したことを検知すると、その旨を制御部３６に出力し、制御部３６は、解除手段４１に自身に対応付けられているコンソール６との対応付けを解除させる。そして、放射線画像検出器５は、新たにコンソール６と対応付けを行うことが可能な状態になり、制御部３６は検知手段４０に動作の進行状況を確認させる直前に自身の識別情報が含まれている対応付け変更指示信号を送信したコンソール６（次のコンソール６）との対応付けが行われる。そして、放射線画像検出器５は、再び解除手段４１により対応付けが解除されるまで、次のコンソール６からの指示に基づいて動作が制御される。
このとき、放射線画像検出器５の制御部３６は、通信部２４を介して対応付けが解除される前のコンソール６の通信部３３に対応付けが解除された旨の信号を送信する。【０１５２】
一方、検知手段４０が動作の進行状況を確認した際に、自身に対応付けられているコンソール６からの指示に基づく動作が完了していない（画像データが未送信である）ことを検知すると、その旨を制御部３６に出力し、制御部３６は、自身に対応付けられているコンソール６との対応付けを解除させないように解除手段４１を制御する。そして、制御部３６は、通信部２４を介して自身の識別情報を含む対応付け変更信号を送信したコンソール６の通信部３３に動作が未完了である旨の信号を送信するとともに、各駆動部に続きの動作を行わせる。【０１５３】
その後、コンソール６が通信部３３を介して動作が未完了である旨の信号を受信して、コンソール６の制御部３５は、コンソール６に対応付けられている放射線画像検出器５の動作が未完了である旨を表示部３２に表示させる。【０１５４】
その後、放射線画像検出器５が自身に対応付けられているコンソール６からの指示に基づく動作が完了すると、検知手段４０がその旨を検知して、制御部３６に出力する。制御部３６は、解除手段４１に自身に対応付けられているコンソール６との対応付けを解除させ、放射線画像検出器５は新たなコンソール６と対応付けを行うことが可能な状態となる。そして、制御部３６は、検知手段４０に動作の進行状況を確認させる直前に自身の識別情報が含まれている対応付け変更指示信号を送信したコンソール６（次のコンソール６）との対応付けを行う。その後、放射線画像検出器５は、再び解除手段４１により対応付けが解除されるまで、次のコンソール６からの指示に基づいて動作が制御される。【０１５５】
以上のように本実施形態によれば、放射線画像検出器５では、複数のコンソール６のうち、対応付けられたコンソール６により動作が制御されており、検知手段４０により対応付けられたコンソール６からの指示に基づく動作が完了したか否かの確認が行われている。検知手段４０にて、動作が完了したことを確認すると、解除手段４１に対応付けられたコンソール６との対応付けを自動的に解除させ、動作が完了していないことを確認すると、解除手段４１に対応付けられたコンソール６との対応付けを自動的に解除させないようにしている。そのため、放射線画像検出器５は、動作が完了していない状態で対応付けが解除されるのを自動的に防ぐことができるので、対応付けを解除させる際に、コンソール６への画像転送など、放射線画像検出器５に対応付けられていたコンソール６からの指示に基づく動作が中断されるのを防ぐことができる。これにより、画像データが消失して患者に再撮影を強いるなど、操作ミスにより不要な被曝を高じさせるのを防ぐことができる。【０１５６】
また、放射線画像検出器５は、コンソール６との対応付けが解除されると、放射線画像検出器５自身を次のコンソール６との対応付けを可能とするように制御されるので、対応付けが解除されていない状態で次のコンソール６と対応付けられることがなく、確実に動作を完了させることができる。従って、患者に操作ミスにより不要な被曝を高じさせるのを確実に防ぐことができる。【０１５７】
従って、撮影の際の操作性を向上させることができる。【０１５８】
なお、本発明は上記実施形態に限らず適宜変更可能であるのは勿論である。【０１５９】
例えば、本実施形態では、撮影予約の指示の入力は、撮影予定の患者に対してその撮影に使用する放射線画像検出器５を選択することで行われたが、撮影リスト上に予め使用予定の放射線画像検出器が決められている患者が記載されている場合には、撮影リスト上で、患者を選択することで行われる構成としてもよい。【０１６０】
また、対応付けは、コンソール６や放射線画像検出器５での手入力によらず、ＩＣタグ付きの放射線画像検出器５を撮影室の出入り口に備えたセンサを通過させることにより、撮影室に放射線画像検出器５を持ち込む際に当該放射線画像検出器５の認識情報をセンサを通じてコンソール６が検知することも可能である。【０１６１】
また、センサは、基地局４が兼ねることも可能である。この場合、ネットワーク７内には、一定範囲ごとに基地局４が備えられており、各基地局４では、各基地局４が管理している範囲内に存在する放射線画像検出器５を認識して、基地局４ごとに対応付けられたコンソールに当該放射線画像検出器を対応付けることも可能である。【０１６２】
また、本実施形態では、コンソール６で放射線画像検出器５の識別情報を入力して対応付けを行うと、コンソール６は対応付け変更信号をコンソール６で対応付けを行った放射線画像検出器５に送信したが、対応付け変更信号を、すでに対応付けられている（対応付けが解除される前の）コンソール６に送信して、当該コンソール６から放射線画像検出器に動作の確認を行わせることも可能である。【０１６３】
また、放射線画像検出器５から対応付けが解除される前のコンソール６に対応付けが解除された旨の信号を送信する際に、対応付けを解除してもよいか確認を行う構成としてもよい。【０１６４】
また、検知手段４０が動作の進行状況として、自身に対応付けられているコンソール６の動作が完了していないことを検知した場合、自身の識別情報を含む対応付け変更信号を送信したコンソール６の通信部３３に動作が未完了である旨の信号を送信して、当該信号を受信したコンソール６にその旨を表示させたが、当該信号を受信したコンソール６での入力操作部３１からの入力を不可能にさせたり、あるいは、何らの情報も表示しないなど、当該信号を受信したコンソール６の制御部３５に入力操作部３１や表示部３２の動作を不可能な状態にするよう制御させてもよい。【０１６５】
〔第３実施形態〕
次に第３実施形態について説明する。
第３実施形態では、第１及び第２実施形態における放射線画像撮影システム１におけるコンソール６の指示に基づく動作の一つが、放射線画像検出器５に対応付けられたコンソール６に画像を送信するのに対し、少なくとも放射線画像検出器５に対応付けられたコンソールに画像を送信する、つまり、放射線画像検出器５に関連付けられたコンソールに画像を送信する場合について説明する。【０１６６】
以下、本発明の実施の形態を、図９から図１２を参照して説明する。【０１６７】
図９は、本発明による放射線画像検出器を適用した放射線画像撮影システム１０１の一実施形態の概略構成を示す図である。【０１６８】
本実施形態による放射線画像撮影システム１０１は、Ｘ線等の放射線を用いて画像撮影を行うシステムであり、図９に示すように、放射線画像撮影に関する情報を管理するサーバ１０２と、放射線照射に関する操作を行う放射線照射操作装置１０４と、例えば無線ＬＡＮ（Local Area Network）等の無線通信方式による通信を行うための基地局１０５と、撮影室１５０を管理し撮影室１５０内に設置された放射線画像検出器１０６を操作するコンソール１０７ａ，１０７ｂ，１０７ｃとがネットワーク１０８を通じて接続され相互に情報の送受信が可能となるように構成されている。放射線照射操作装置１０４にはケーブル１０４を介して、被写体である患者１１１に放射線を照射する放射線管球１０９が接続されている。なお、撮影に用いられる放射線はＸ線に限定されないが、Ｘ線が最も好適に用いられる。撮影にＸ線を用いる場合には、前記放射線管球１０９としてＸ線を照射するＸ線管球が用いられ、放射線画像検出器１０６としてＸ線画像検出装置が用いられる。【０１６９】
なお、ネットワーク１０８に接続されるコンソールの数は３つに限定されず、さらに複数のコンソールが接続されていてもよい。また、撮影室１５０の数は図示したものに限定されず、複数の撮影室１５０が設けられていてもよい。撮影室１５０とコンソール１０７とは、それぞれ１対１で対応付けられていてもよいし、複数の撮影室１５０に１つのコンソール１０７が対応付けられ１つのコンソール１０７によって複数の撮影室１５０の管理が行われてもよい。また１つの撮影室１５０に複数のコンソール１０７が対応付けられていてもよい。【０１７０】
ここで、ネットワーク１０８は、当該システム専用の通信回線であっても良いが、システム構成の自由度が低くなってしまう等の理由のため、イーサネット（Ethernet；登録商標）等の既存の回線である方が好ましい。【０１７１】
サーバ１０２は、図９に示すように、コンピュータで構成されており、図１０に示すように、サーバ１０２には、サーバ１０２を構成する各部を制御する制御部１３１、各種情報を記憶する外部記憶装置１３２、各種情報や操作者の指示を入力する入力操作部１３３、入力された情報等を表示する表示部１３４等が設けられ、各部はバス１３５により接続されている。【０１７２】
入力操作部１３３は、例えば、キーボードやマウス等から構成されており、キーボードで押下操作されたキーの押下信号やマウスによる操作信号を入力信号として制御部１３１に対して出力する。【０１７３】
特に、本実施形態に係る放射線画像撮影システム１０１においては、入力操作部１３３は、患者情報入力手段として、前記患者情報や撮影情報等の入力を行うようになっており、これにより撮影を行う予定となっている患者１１１の登録が行われる。なお、入力操作部１３３によって入力される情報はここに例示したものに限定されない。【０１７４】
患者情報とは、例えば、患者１１１の氏名、年齢、性別、生年月日、患者１１１を特定するための患者ＩＤ番号等の患者１１１に関する情報である。また、撮影情報とは、撮影部位（患者１１１の身体上の撮影する部分）、管電圧や照射線量（mAs値）等の撮影条件、撮影する方向や方法等の撮影を行うために必要な情報である。また、例えば、一人の患者１１１について複数回の撮影を行う場合には、撮影予定回数等も撮影情報として入力される。【０１７５】
なお、患者情報及び撮影情報は、前記のように、サーバ１０２の入力操作部１３３によって入力されたものに限定されない。例えば、コンソール１０７から入力されサーバ１０２に送信されたものであってもよい。また、例えば、医師の診察室等に設置されネットワーク１０８に接続された図示しない他のパーソナルコンピュータ（Personal Computer）等の端末装置から入力されたものをサーバ１０２が受信するようにしてもよい。さらに、ＩＤカード等に予め書き込まれた患者情報や撮影情報を読み取るカードリーダ等の情報読取装置を設け、このような情報読取装置によって患者情報や撮影情報を読み取ることにより入力を行うようにしてもよい。これらの場合には、これらの各入力手段、情報読取装置等によって患者情報入力手段が構成される。【０１７６】
制御部１３１は、例えば、ＣＰＵ（Central Processing Unit）等から構成され、外部記憶装置１３２等に格納される各種のプログラムを読み出し、これに従って各種処理を実行するように構成されている。【０１７７】
特に、本実施形態において、制御部１３１は、患者リスト生成手段として、入力操作部１３３によって入力された情報又はコンソール１０７等の外部装置によって入力されネットワーク１０８を通じて送られた患者情報や撮影情報等をそれぞれ対応付けたリスト（以下「患者リスト」と称する。）を生成し、外部記憶装置１３２等に記憶させる。サーバ１０２の制御部１３１で生成された患者リストはネットワーク１０８を介して各コンソール１０７により共有される。なお、一旦患者リストが生成された後に入力操作部１３３等から新たな情報が入力されると、患者リストが順次更新され、更新された患者リストがサーバ１０２及び各コンソール１０７の間で共有される。【０１７８】
また、サーバ１０２には、各放射線画像検出器１０６によって検出されコンソール１０７に送信された放射線画像情報が、撮影された患者の患者情報や、当該放射線画像情報が当該患者について撮影された何枚目の画像であるかを識別するための情報その他の撮影に関する撮影情報等と対応付けられて送られる。なお、放射線画像検出器１０６からサーバ１０２に送られる放射線画像情報には、これらの情報の他、例えば、撮影を行った放射線画像検出器１０６を当該撮影の際にどのコンソール１０７が操作したのかを識別するための識別情報等がそれぞれ対応付けられていてもよい。制御部１３１は、送られたこれらの情報を放射線画像情報とともに前記患者リストと対応付けて外部記憶装置１３２等に記憶させ、管理する。【０１７９】
制御部１３１は、患者情報や撮影情報と対応付けられた放射線画像情報が送られると、外部記憶装置１３２に記憶されている放射線画像情報の中に同じ患者情報等と対応付けられた過去の放射線画像情報がないかどうかの検索を行う。ここで、過去の放射線画像情報とは、同じ患者情報と対応付けられた既撮影の放射線画像情報の全てであってもよいし、例えば、同一患者について複数回の撮影予定があり一連の撮影予定が患者リストに対応付けられているような場合には、当該患者についての撮影予定のうち既撮影の放射線画像情報であってもよい。【０１８０】
また、制御部１３１は、画像情報送信手段として、放射線画像検出器１０６による検出結果に基づく放射線画像情報のうち、同一の患者情報と対応付けられているものを、その患者について最後に撮影を行った放射線画像検出器１０６を撮影の際に操作するコンソール１０７として対応付けられているコンソール１０７に送信する。【０１８１】
ここで最後に行った撮影とは、ある患者について予定されている一連の撮影のうち最後に行われたものをいう。すなわち、例えば、ある患者について一連の撮影として４回の撮影が予定されている場合、２回目の撮影が終了した時点では、当該２回目の撮影が最後に行われた撮影となる。したがって、この場合には、当該２回目の撮影に用いた放射線画像検出器１０６を撮影の際に操作するコンソール１０７として対応付けられているコンソール１０７に１回目の撮影によって得られた放射線画像情報が送られることとなる。同様に、４回の撮影が予定されている場合、４回目の撮影が終了した時点では、当該４回目の撮影が最後に行われた撮影となるため、当該４回目の撮影に用いた放射線画像検出器１０６を撮影の際に操作するコンソール１０７として対応付けられているコンソール１０７に１回目〜３回目の撮影によって得られた放射線画像情報が送られることとなる。
したがって、例えば、前記のようにある患者につき４回の撮影予定があり、４回目の撮影が行われて、その放射線画像情報が患者情報や撮影情報と対応付けられた状態で制御部１３１に送られると、制御部１３１は、この患者情報等に基づいて外部記憶装置１３２内を検索する。そして、この検索の結果、当該患者についての１回目〜３回目の撮影によって得られた放射線画像情報を選び出し、これらの放射線画像情報を４回目の撮影に用いた放射線画像検出器１０６を撮影の際に操作するコンソール１０７として対応付けられているコンソール１０７に送信する。【０１８２】
なお、コンソール１０７に送信する放射線画像情報は、例えば、同一患者について撮影部位の異なる複数の撮影予定があり一連の撮影予定が患者リストに対応付けられているような場合には、当該患者についての撮影予定のうち既に撮影されたものである。すなわち、例えば、腹部正面、腹部側面、胸部正面、胸部側面という４回分の撮影予定が患者リストに対応付けられている場合、腹部正面、腹部側面、胸部正面の撮影が終了し、さらに胸部側面が撮影された場合には、胸部側面の撮影の際に放射線画像検出器１０６を操作するコンソール１０７として対応付けられているコンソール１０７に対して、既に撮影の終了している腹部正面、腹部側面、胸部正面の放射線画像情報を送信する。
また、例えば、同一部位についての経時的な変化を観察する等のため、腹部１回、２回、３回、胸部１回、２回、３回というように同じ患者の同一部位について複数回の撮影予定がある場合であって、腹部２回目及び胸部２回目までの撮影が行われている場合に、患者の胸部３回目の撮影が行われ、その放射線画像情報が患者情報等とともにコンソール１０７から送信された場合には、当該患者についての撮影予定のうち同一部位に関するものであって既に撮影されたものである胸部１回、２回の放射線画像情報のみを前記所定のコンソール１０７に送信してもよい。
さらに、制御部１３１に送られた放射線画像情報と対応付けられた患者情報等と合致する放射線画像情報全てであってもよいし、例えば、患者情報が合致するもののうち、撮影日時等の新しいものから順に数えて任意の回数分のみとしてもよい。【０１８３】
また、この際、制御部１３１からコンソール１０７に送信される放射線画像情報は、原画像情報、表示用画像の両方であってもよいが、情報の転送を円滑に行い、コンソール１０７における画像の確認を速やかに行うために、情報量の少ない表示用画像のみを送信するようにすることが好ましい。【０１８４】
次に、放射線画像撮影装置１０３は、放射線を照射する放射線管球１０９を有して放射線照射装置として機能するようになっているとともに、この放射線管球１０９より放射線照射操作装置１０４で設定された管電圧や照射線量で放射線を照射するようになっている。放射線管球１０９の下方であって放射線照射範囲には、患者１１１を載置させる寝台１１２が設けられており、また、寝台１１２の上であって患者１１１を載置したときに患者１１１の撮影部位に対応する位置には、放射線を読み取って放射線画像を検出する放射線画像検出器１０６が配置されている。なお、放射線画像検出器１０６を配する位置は、患者１１１と寝台１１２の間に限定されず、例えば、寝台１１２の下方に放射線画像検出器１０６を装着する検出装置装着口（図示しない）を設けて、放射線画像検出器１０６がこの検出装置装着口に装着される構成としてもよい。【０１８５】
放射線照射操作装置１０４は、情報を表示する表示部や操作者である放射線技師からの指示を入力する入力操作部（いずれも図示せず）等を備えるコンピュータで構成されており、入力された撮影条件に対応する管電圧値、放射線の線量により撮影が行われるように、放射線画像撮影装置１０３の放射線管球１０９等を制御するように構成されている。【０１８６】
次に、コンソール１０７は、図１１に示すように、ＣＰＵ（Central Processing Unit）等から構成される制御部１１４、ＲＡＭ（Random Access Memory）１１５、ＲＯＭ（Read Only Memory）１１６、表示部１１７、入力操作部１１８、通信部１１９等を備えて構成されており、各部はバス１２０により接続されている。本実施形態においては、前記のように複数のコンソール１０７ａ，１０７ｂ，１０７ｃがネットワーク１０８に接続されており、各コンソール１０７ａ，１０７ｂ，１０７ｃには、例えばコンソール１０７ａ，１０７ｂ，１０７ｃを識別するための識別情報としてコンソールＩＤが付されている。【０１８７】
表示部１１７は、例えば、ＣＲＴ（Cathode Ray Tube）やＬＣＤ（Liquid Crystal Display）等を備えて構成され、制御部１１４から送られる表示信号の指示に従って、前記患者リスト、各種のメッセージや画像等、各種画面を表示するものである。【０１８８】
入力操作部１１８は、例えば、キーボードやマウス等から構成されており、キーボードで押下操作されたキーの押下信号やマウスによる操作信号を入力信号として制御部１１４に対して出力するものである。なお、入力操作部１１８は、前記表示部１１７の表示画面を覆う透明なシートパネルに、指又は専用のスタイラスペンで触れることにより入力される位置情報を入力信号として制御部１１４に出力する、いわゆる、タッチパネルにより構成されていてもよい。【０１８９】
特に、本実施形態に係る放射線画像撮影システム１０１においては、入力操作部１１８は、前記患者情報や撮影情報等の入力及び放射線画像検出器１０６の検出装置ＩＤ等の入力等を行うことができるようになっている。ここで検出装置ＩＤとは、放射線画像検出器１０６を識別するために各放射線画像検出器１０６に付される放射線画像検出器１０６の識別情報である。【０１９０】
放射線画像検出器１０６の識別情報を入力するコンソール１０７は、例えば、当該放射線画像検出器１０６が設置された撮影室１５０を管理するコンソール１０７である。撮影室１５０を管理するコンソール１０７が設置される位置は特に限定されないが、当該撮影室１５０や放射線照射操作装置１０４に最も近い位置に設置されているコンソール１０７であることが好ましい。このようにすることにより、撮影を行う際、撮影室１５０や放射線照射操作装置１０４に近い位置から撮影室１５０内の放射線画像検出器１０６の操作等を行うことが可能となる。【０１９１】
また、前記表示部１１７には、サーバ１０２からネットワークを通じて送信される患者リストが表示されるようになっており、入力操作部１１８は、患者選択手段として、この患者リストの中から撮影を行う患者やその撮影部位等を選択可能となっている。なお、患者リストは、サーバ１０２から送信されてくる場合に限定されず、サーバ１０２に格納されている患者リストを読み出して参照できるようにしてもよい。入力操作部１１８によって選択された患者やその撮影部位等の情報はこれらを選択したコンソール１０７の識別情報と対応付けられて、ネットワーク１０８を介してサーバ１０２に送られる。【０１９２】
また、コンソール１０７に対応付けられている放射線画像検出器１０６が複数ある場合には、入力操作部１１８は、そのうちいずれの放射線画像検出器１０６によって撮影を行うかを選択可能となっている。【０１９３】
これにより、患者をどの放射線画像検出器１０６によって撮影するかの撮影前の設定が行われる。なお、前記設定が行われると、他のコンソール１０７では患者リスト上で当該患者を選択することができなくなるようにしてもよい。【０１９４】
また、入力操作部１１８は、所定操作に基づいて放射線画像検出器１０６による検出結果に基づく放射線画像情報の転送指示に係る信号を制御部１１４に対して出力する。本実施形態においては、撮影によって得られた放射線画像情報は、撮影に使用された放射線画像検出器１０６と対応付けられ撮影の際に放射線画像検出器１０６を操作したコンソール１０７に転送され、後述するように、コンソール１０７の制御部１１４において、前記撮影前の設定の際に患者リストから選択された患者の患者情報や撮影情報等と対応付けられる。患者情報や撮影情報等と対応付けられた放射線画像情報は、サーバ１０２に転送され、また、必要に応じて図示しない記憶装置等に保存される。なお、患者情報や撮影情報等と対応付けられた放射線画像情報は、必要に応じてサーバ１０２以外の外部装置にも転送されるようにしてもよい。【０１９５】
また、入力操作部１１８は、所定操作に基づいて放射線画像検出器１０６に記憶されている放射線画像情報の削除指示に係る信号を制御部１１４に対して出力する。【０１９６】
また、入力操作部１１８は、放射線技師が放射線画像検出器１０６による被写体像が適正に検出されているか否か及び再撮影の要否の判断を行った場合に、その判断結果を入力する。入力された結果は、電気信号として制御部１１４に出力される。【０１９７】
通信部１１９は、無線ＬＡＮ等の無線通信方式により、基地局１０５を介して、放射線画像検出器１０６との間で各種情報の通信を行うものである。【０１９８】
制御部１１４は、例えば、前記のように、ＣＰＵ（Central Processing Unit）等から構成され、ＲＯＭ（Read Only Memory）１１６に格納される所定のプログラムを読み出してＲＡＭ（Random Access Memory）１１５の作業領域に展開し、当該プログラムに従って各種処理を実行するように構成されている。【０１９９】
特に、本実施形態において、前記入力操作部１１８から放射線画像検出器１０６の識別情報として検出装置ＩＤが入力されると、入力された検出装置ＩＤが信号として制御部１１４に送られる。制御部１１４は、この検出装置ＩＤを取得すると、検出装置ＩＤと前記コンソールＩＤとを対応付けることにより、コンソール対応付け手段として放射線画像検出器１０６とコンソール１０７との対応付けを行うように構成されている。【０２００】
具体的には、例えば、コンソール１０７ａの入力操作部１１８から放射線画像検出器１０６の検出装置ＩＤが入力されると、制御部１１４は、この検出装置ＩＤを有する放射線画像検出器１０６を撮影の際に操作するコンソール１０７として当該コンソール１０７ａを対応付ける。【０２０１】
なお、制御部１１４がコンソール１０７と対応付ける放射線画像検出器１０６を識別するための入力方式はここに示したものに限定されず、例えば、放射線画像検出器１０６に放射線画像検出器１０６を識別するための識別情報としてＩＣタグやバーコードを付しておき、これを所定の読取装置等によって読み取ることにより放射線画像検出器１０６の識別情報が入力されて、制御部１１４がこの識別情報を取得するようにしてもよい。【０２０２】
また、入力操作部１１８からの検出装置ＩＤの入力等により制御部１１４が放射線画像検出器１０６の識別情報を取得し、放射線画像検出器１０６とコンソール１０７との対応付けを行うタイミングは、例えば、放射線画像検出器１０６が撮影室１５０内に搬入される際に行われるのが好ましいが、対応付けを行うタイミングはこれに限定されない。【０２０３】
なお、放射線画像検出器１０６が一旦あるコンソール１０７と対応付けられた後に当初設置された撮影室１５０から移動して別の撮影室１５０に移動したような場合には、移動した先の撮影室１５０を管理するコンソール１０７の入力操作部１１８から放射線画像検出器１０６の検出装置ＩＤが入力される等によって、移動先の撮影室１５０を管理するコンソール１０７の制御部１１４により改めて放射線画像検出器１０６とコンソール１０７との対応付けが行われる。なお、移動先の撮影室１５０を管理するコンソール１０７と放射線画像検出器１０６との間に新たな対応関係が形成されると、前に対応付けを行ったコンソール１０７との対応関係は解除される。【０２０４】
具体的には、例えば、ある撮影室１５０に放射線画像検出器１０６が搬入され、当該撮影室１５０を管理するコンソール１０７ａの入力操作部１１８から検出装置ＩＤが入力されると、制御部１１４は、当該放射線画像検出器１０６を撮影の際に操作するコンソール１０７としてコンソール１０７ａを対応付ける。その後、放射線画像検出器１０６が別の撮影室１５０に移動し、コンソール１０７ｂが当該撮影室１５０を管理しているときは、コンソール１０７ｂの入力操作部１１８から放射線画像検出器１０６の検出装置ＩＤが入力され、制御部１１４は、当該放射線画像検出器１０６を撮影の際に操作するコンソール１０７として当該コンソール１０７ｂを対応付けるようになっている。当該コンソール１０７ｂと放射線画像検出器１０６との間に新たな対応関係が形成されると、前に対応付けを行ったコンソール１０７ａと放射線画像検出器１０６との対応関係は解除される。【０２０５】
また、制御部１１４は、患者情報対応付け手段として、撮影された患者の患者情報及び放射線画像情報が当該患者について撮影された何枚目の画像であるか等を含めた撮影情報と放射線画像検出器１０６による検出結果に基づく放射線画像情報との対応付けを行う。なお、制御部１１４によって放射線画像情報と対応付けられる情報はこれらの情報に限定されない。例えば、撮影を行った放射線画像検出器１０６を当該撮影の際にどのコンソール１０７が操作したのかを識別するための識別情報等がそれぞれ対応付けられてもよい。【０２０６】
制御部１１４は、患者情報等が対応付けられた放射線画像情報をネットワーク１０８を介してサーバ１０２に送るようになっている。【０２０７】
また、制御部１１４は、撮影部位に関する情報等撮影に必要な情報を基地局１０５を介して無線で放射線画像検出器１０６に対して送信することも可能となっている。【０２０８】
制御部１１４には、放射線画像検出器１０６によって取得された放射線画像情報が送られるようになっており、制御部１１４は、放射線画像情報を受け取ると、表示用画像生成手段として、送られた放射線画像情報に基づいていわゆるサムネイル画像等、原画像情報よりも情報量の少ない縮小画像情報である表示用画像を生成する。この縮小画像の縮小率は、例えば、原画像に対して各辺の長さが１／２〜１／１００倍となる程度（画素数が１／４〜１／１００００倍となる程度）が好ましく、１／４〜１／２５００倍となる程度がより好ましい。【０２０９】
また、制御部１１４は、入力操作部１１８等から入力された指示等に基づき、適宜表示部１１７に各種情報や画像を表示させる。なお、入力操作部１１８より再撮影を行わない旨の入力がなされたときには、次に行われる撮影に係る患者情報及び撮影情報を表示部１１７に表示させるとよい。【０２１０】
さらに、制御部１１４は、前記入力操作部１１８からの入力された削除指示に係る信号に基づいて、放射線画像検出器１０６に記憶されている放射線画像情報の削除を指示する信号を放射線画像検出器１０６に送り、放射線画像情報の削除を行わせる。【０２１１】
次に、放射線画像検出器１０６は、例えば可搬型のカセッテ型ＦＰＤであり、放射線画像検出器１０６は、図１２に示すように、制御部１２１、ＲＡＭ１２２、ＲＯＭ１２３、放射線検出部である平面検出部１２４、記憶手段である画像記憶部１２５、通信部１２６、電源部１２７、入力操作部１２８等を備えて構成されており、各部はバス１２９により接続されている。【０２１２】
放射線画像検出器１０６には、それぞれ放射線画像検出器１０６を識別するための識別情報として検出装置ＩＤが付されている。なお、放射線画像検出器１０６を識別するための識別情報は、前記のように検出装置ＩＤに限定されず、例えばＩＣタグやバーコードでもよい。【０２１３】
平面検出部１２４は、例えば、ガラス基板等を有しており、基板上の所定位置には、放射線管球１０９から照射されて少なくとも被写体を透過した放射線をその強度に応じて検出し、検出した放射線を電気信号に変換して蓄積する複数の画素がマトリックス状に配列されている。【０２１４】
ここで、平面検出部１２４としては、図示は省略するが、例えば、放射線を蛍光（光）に変換する放射線光変換層と、放射線光変換層により変換された蛍光を検出して電気信号に変換する光電変換層とを備える間接型のもの、また、放射線光変換層及び光電変換層に替えて、放射線を直接電荷に変換する放射線受部を有する放射線電気信号変換層を備える直接型のもの等が挙げられる。なお、間接型のものは直接型のもので用いる高圧電源が不要であるため好ましい。【０２１５】
画像記憶部１２５は、例えばフラッシュメモリ等の不揮発性メモリやＲＡＭから構成され、平面検出部１２４に蓄積された電気信号が読み取られることにより取得された放射線画像情報を記憶可能となっている。この画像記憶部１２５の記憶容量は、特に限定されないが、複数の放射線画像情報を記憶可能な容量であることが好ましい。このように複数の放射線画像情報を記憶可能とすることにより、放射線画像情報をコンソール１０７やサーバ１０２等の外部装置に転送したり、撮影の適否の判断を待つ等をすることなく、次の撮影を行うことができ、装置の稼動効率を上げることができる。【０２１６】
通信部１２６は、無線ＬＡＮ等の無線通信方式により、基地局１０５を介して、コンソール１０７との間で各種情報の通信を行うものである。例えば、通信部１２６は、コンソール１０７の通信部１１９から送信された患者情報、撮影情報及び放射線画像検出器１０６との間で対応付けされたコンソール１０７のコンソールＩＤ等の各種情報を受信する。また、通信部１２６は、当該放射線画像検出器１０６の検出装置ＩＤをコンソール１０７に送信する。そして、画像記憶部１２５に記憶された放射線画像情報を放射線画像検出器１０６との間で対応付けされたコンソール１０７に対して送信するようになっている。さらに、通信部１２６は、コンソール１０７の通信部１１９を介して送信された放射線画像の撮影状態が適正であるか否かに係る撮影適否信号及び放射線画像検出器１０６に記憶されている放射線画像情報の削除を指示する削除指示信号等を受信する。【０２１７】
電源部１２７は、放射線画像検出器１０６を構成する各部に電源を供給する電力供給手段として充電池１３０を有し、当該放射線画像検出器１０６の所定位置に設けられた充電用端子（図示略）を介して充電可能に構成されている。【０２１８】
制御部１２１は、例えばＣＰＵ等から構成され、ＲＯＭ１２３に格納される所定のプログラムを読み出してＲＡＭ１２２の作業領域に展開し、当該プログラムに従って各種処理を実行する。【０２１９】
具体的には、例えば、制御部１２１は、平面検出部１２４の各画素を構成する例えばＴＦＴ（Thin Film Transistor）等のスイッチング部を制御して、当該各画素に蓄積された電気信号の読み取りをスイッチングしていき、平面検出部１２４に蓄積された電気信号を読み取ることにより、平面検出部１２４から検出結果を取得する。【０２２０】
さらに、制御部１２１は、放射線画像検出器１０６の検出装置ＩＤをコンソール１０７に対して送信するように通信部１２６を制御する。また、制御部１２１は、画像情報送信手段として、放射線画像検出器１０６によって検出された検出結果に基づく放射線画像情報をコンソール１０７に対して送信するよう通信部１２６を制御する。【０２２１】
本実施形態において、制御部１２１が通信部１２６を介して放射線画像情報を送信する先は、撮影の際に当該放射線画像検出器１０６を操作するコンソール１０７として対応付けられているコンソール１０７である。コンソール１０７に送信される放射線画像情報には、少なくとも撮影を行った放射線画像検出器１０６の検出装置ＩＤ等の識別情報が付帯情報として付与されるが、患者リストに対応付けられた患者情報及び撮影情報、撮影の際に放射線画像検出器１０６を操作するコンソール１０７として対応付けられたコンソール１０７のコンソールＩＤ等が含めてもよい。また、当該放射線画像情報を放射線画像検出器１０６より転送させるタイミングを入力操作部１１８より入力できるようにしてもよい。なお、放射線画像情報を放射線画像検出器１０６より転送させるタイミングは、可能な範囲で早い方が好ましい。【０２２２】
次に、放射線画像撮影システム１０１の作用について説明する。【０２２３】
新たに放射線画像検出器１０６を撮影室１５０に設置する際には、放射線技師により当該撮影室１５０を管理するコンソール１０７ａの入力操作部１２８等から放射線画像検出器１０６の検出装置ＩＤ等の識別情報が入力される。検出装置ＩＤ等の識別情報が入力されると、制御部１１４によってコンソール１０７ａと放射線画像検出器１０６との対応付けが行われる。対応付けが行われると、コンソール１０７ａのコンソールＩＤと放射線画像検出器１０６の検出装置ＩＤとが対応付けられた状態で、ネットワーク１０８を介してサーバ１０２に送られ、サーバ１０２の外部記憶装置１３２等に記憶される。【０２２４】
一方、患者情報、撮影情報等がいずれかのコンソール１０７から入力されると、入力された各情報がネットワーク１０８を介してサーバ１０２に送られる。患者情報、撮影情報等が送られると、サーバ１０２の制御部１３１により各情報を対応付けた患者リストが生成される。なお、患者情報、撮影情報等は、コンソール１０７から入力される他、サーバ１０２の入力操作部１３３や、ＩＤカードリーダ等の各種情報読取装置、診察室等に設置されネットワーク１０８に接続された端末装置等から送信されてもよい。【０２２５】
放射線画像の撮影を行う際には、放射線技師は、まず撮影を行う撮影室１５０に対応付けられたコンソール１０７ａに行き、サーバ１０２に記憶されている患者リストをネットワーク１０８を介して参照しコンソール１０７ａの表示部１１７に患者リストを表示させる。そして、放射線技師はその中から撮影を行う患者１１１及び必要に応じてその撮影部位等を選択する。撮影室１５０内に複数の放射線画像検出器１０６が設置されているときは、放射線技師は、さらに、撮影室１５０内に設置された放射線画像検出器１０６のうち撮影に使用する放射線画像検出器１０６を入力操作部１１８によって選択、入力する。【０２２６】
次に、サーバ１０２からコンソール１０７や放射線照射操作装置１０４に対して患者情報や撮影情報が送信される。患者情報や撮影情報は適宜コンソール１０７の表示部１１７に表示され、放射線技師はこれらの情報を確認しながら放射線画像の撮影を行う。【０２２７】
放射線照射操作装置１０４は、受信した撮影情報に含まれる管電圧値、放射線量等に基づいて、放射線画像撮影装置１０３の放射線管球１０９を制御し、放射線画像撮影装置１０３は、これらの条件下で放射線を患者１１１に対して照射する。【０２２８】
このとき、放射線画像検出器１０６が寝台１１２上であって患者１１１の下に差しこまれており、患者１１１を透過する放射線量を検出し、検出した放射線を電気信号に変換して所定の検出結果を取得し、この検出結果を画像記憶部１２５に記憶する。【０２２９】
また、放射線画像検出器１０６によって検知された検出結果は、制御部１２１により、撮影に使用された放射線画像検出器１０６の検出装置ＩＤと対応付けられた状態で、放射線画像検出器１０６を撮影の際に操作するコンソール１０７として放射線画像検出器１０６と対応付けられているコンソール１０７ａに送信される。【０２３０】
コンソール１０７ａの制御部１１４は、表示用画像生成手段として、送られた検出結果に基づいて原画像情報よりも情報量の少ないいわゆるサムネイル画像等の表示用画像を生成し、生成した表示用画像を表示部１１７に表示させる。放射線技師は、表示用画像を確認することにより、放射線画像検出器１０６によって被写体像が適正に検出されているか否か及び再撮影の要否の判断を行う。【０２３１】
被写体像が適正に検出されており再撮影の必要がない場合には、コンソール１０７ａの制御部１１４は、通信部１１９を介して原画像情報と患者情報等とを関連付けて、サーバ１０２に対して送信する。その後、原画像情報は、サーバ１０２より画像処理がなされた後、適宜プリンタやモニタなどの出力機から出力され、放射線画像として医師による診断に供される。一方、表示用画像は、制御部１１４により消去される。【０２３２】
また、制御部１１４は、放射線画像検出器１０６に対して放射線画像の撮影状態が適正である旨の信号及び放射線画像検出器１０６に記憶されている検出結果の削除を指示する削除指示信号を送信する。放射線画像検出器１０６の制御部１２１は、これらの信号を受けて画像記憶部１２５から検出結果を消去し、放射線画像検出器１０６による撮影を終了する。そして、この場合には、コンソール１０７ａの表示部１１７には次の撮影の患者情報、撮影情報等が適宜表示される。【０２３３】
これに対して、被写体像が適正に検出されておらず再撮影の必要があるとの信号が入力操作部１１８から入力された場合には、原画像情報及び表示用画像を消去するとともに、放射線照射操作装置１０４に対して再撮影を行うよう指示を送信する。これにより再撮影が行われ、放射線画像検出器１０６によって検知された検知結果は、再度コンソール１０７ａに送信される。コンソール１０７ａの制御部１１４は、送られた検知結果に基づいて原画像情報よりも情報量の少ない表示用画像を生成し、生成した表示用画像を表示部１１７に表示させて、被写体像が適正に検出されており再撮影の必要がない場合には、コンソール１０７ａの制御部１１４は、通信部１１９を介して原画像情報と患者情報等とを関連付けてサーバ１０２に送信する。また、コンソール１０７ａの制御部１１４は、前記同様、表示用画像を消去するとともに放射線画像検出器１０６に対して放射線画像の撮影状態が適正である旨の信号及び放射線画像検出器１０６に記憶されている検出結果の削除を指示する削除指示信号を送信し、一連の撮影動作を終了する。【０２３４】
なお、その後、放射線画像検出器１０６が他の撮影室１５０に移動した場合には、例えば移動先の撮影室１５０に搬入される際に、当該撮影室１５０を管理するコンソール１０７ｂの入力操作部１２８等から放射線画像検出器１０６の検出装置ＩＤ等の識別情報が入力される。識別情報が入力されると制御部１１４によってコンソール１０７ｂと放射線画像検出器１０６との対応付けが行なわれ、他方で、先に対応付けられていたコンソール１０７ａと放射線画像検出器１０６との対応付けが解除される。コンソール１０７ｂと放射線画像検出器１０６との対応付けが行われると、コンソール１０７ｂのコンソールＩＤと放射線画像検出器１０６の検出装置ＩＤとが対応付けられた状態で、ネットワーク１０８を介してサーバ１０２に送られ、この新たな対応付けがサーバ１０２の外部記憶装置１３２等に記憶される。【０２３５】
そして、当該移動先の撮影室１５０で次の撮影が行われるときには、撮影の際、コンソール１０７ｂによって放射線画像検出器１０６が操作され、放射線画像検出器１０６によって検出された検出結果がコンソール１０７ｂに送信される。さらに、コンソール１０７ｂの制御部１１４により表示用画像が生成されてコンソール１０７ｂの表示部１１７に表示される。【０２３６】
なお、撮影は、撮影室１５０を移動しながら複数回行われるようにしてもよい。この場合、各撮影ごとに撮影を行う前に、撮影に使用する放射線画像検出器１０６と、これを操作するコンソール１０７との対応付けを行うようにし、放射線画像検出器１０６によって得られた検出結果は、それぞれの撮影に際して対応付けられたコンソール１０７に送られる。【０２３７】
以上より、本実施形態に係る放射線画像撮影システム１０１によれば、放射線画像検出器１０６によって検知された検知結果が撮影の際に、予め対応付けられた撮影室１５０の前のコンソール１０７に送信され、コンソール１０７で表示用画像が生成されてコンソール１０７の表示部に表示される。このため、どのコンソール１０７で患者情報や撮影情報の入力、放射線画像検出器１０６とコンソール１０７との対応付けを行っても、撮影した画像は、当該撮影に使用した撮影室１５０の近くに位置するコンソール１０７で確認することができ、放射線技師が撮影場所から離れたところに移動することなく、即時かつ確実に被写体像が適正に検出されているかを確認し、放射線画像の適否を判断することができ、撮影の再の操作性を向上させることができる。【０２３８】
また、本実施形態においては、放射線画像検出器１０６によって検出された検出結果を対応するコンソール１０７に送信した後、コンソール１０７の制御部１１４で表示用画像を生成するものとしたが、表示用画像を生成する表示用画像生成手段は、コンソール１０７の制御部１１４である場合に限定されない。【０２３９】
例えば、本実施形態のように、放射線画像検出器１０６がカセッテ型のＦＰＤである場合には、放射線画像検出器１０６の制御部１２１によって表示用画像を生成するようにしてもよい。この場合、放射線画像検出器１０６の制御部１２１で生成された原画像情報及び表示用画像は、無線等の通信手段によって、ともにコンソール１０７に送られるようにしてもよいし、サーバ１０２に送られるようにしてもよい。さらに、表示用画像のみがコンソール１０７に送られ、原画像情報はサーバ１０２に送られるようにしてもよい。また、原画像情報は放射線画像検出器１０６の画像記憶部１２５に記憶され、表示用画像のみがコンソール１０７に送られるようにしてもよい。この場合、コンソール１０７から放射線画像の撮影状態が適正である旨の信号が放射線画像検出器１０６に送られると、原画像情報がコンソール１０７又はサーバ１０２に送信されるようにしてもよい。また、放射線画像検出器１０６による検出結果が直接サーバ１０２に送られ、サーバ１０２において原画像情報のほかに表示用画像が生成されるようにしてもよい。【０２４０】
本実施形態においては、放射線画像検出器１０６の制御部１１４が画像情報送信手段として通信部１１９を介して放射線画像情報を所定のコンソール１０７に送信するようにしたが、画像情報送信手段はこれに限定されない。例えば、前記のように放射線画像検出器１０６による検出結果が直接サーバ１０２に送られ、サーバ１０２において原画像情報のほかに表示用画像が生成される場合には、サーバ１０２の制御部１３１が画像情報送信手段として、原画像情報及び表示用画像、又は表示用画像のみをコンソール１０７に送るようにする。【０２４１】
なお、この場合、放射線画像検出器１０６による検出結果は、例えば、当該撮影に使用した放射線画像検出器１０６の検出装置ＩＤが対応付けられた状態でサーバ１０２に送られる。サーバ１０２の制御部１３１は、送られた検出装置ＩＤと外部記憶装置１３２に記憶されている検出装置ＩＤとを照合し、合致する検出装置ＩＤと対応付けられたコンソールＩＤを有するコンソール１０７に対して放射線画像情報を送信する。なお、放射線画像検出器１０６からサーバ１０２に送られる検出結果に、当該撮影に使用した放射線画像検出器１０６の検出装置ＩＤのみならず当該放射線画像検出器１０６を撮影の際に操作したコンソール１０７のコンソールＩＤも対応付けられるようにしてもよい。この場合には、当該コンソールＩＤに対応するコンソール１０７に対して放射線画像情報が送信される。【０２４２】
なお、本実施形態においては、患者リストをサーバ１０２の制御部１３１において生成するものとしたが、患者リストの生成主体はこれに限定されない。例えば、コンソール１０７の制御部１１４で患者リストが生成されて、コンソール１０７からサーバ１０２に送られ、サーバ１０２の外部記憶装置１３２等に記憶されるとともに、サーバ１０２から患者リストが各コンソール１０７に送信されて共有されるようになっていてもよい。【０２４３】
なお、本実施形態においては、放射線画像検出器１０６が一旦あるコンソール１０７との間で対応付けがなされた後、撮影室１５０を移動する等により別のコンソール１０７との間に新たな対応付けがなされると、前に対応付けを行ったコンソール１０７と放射線画像検出器１０６との対応付けは解除されるものとしたが、撮影室１５０を移動する等により放射線画像検出器１０６と別のコンソール１０７との間に新たな対応付けがなされる場合、前にされた対応付けも解除されず、複数の対応付けが重複するものとしてもよい。この場合には、例えば、放射線画像検出器１０６によって得られた放射線画像を当該撮影の際に放射線画像検出器１０６を操作したコンソール１０７のコンソールＩＤと対応付けることにより、このコンソールＩＤを有するコンソール１０７にのみ当該放射線画像を送信するようにする。これにより、当該撮影の際に放射線画像検出器１０６を操作したコンソール１０７だけに当該画像を送信することができ、撮影後、撮影室１５０の傍ですぐに画像を確認することができるため、便宜である。【０２４４】
〔第４実施形態〕
次に第４実施形態について説明する。
第４実施形態では、第３実施形態で説明した放射線画像撮影システム１０１におけるコンソールの指示に基づく動作の他のパターンについて説明する。以下の説明では、放射線画像撮影システム１０１の作用の説明を中心に行い、第３実施形態と同様の箇所については、その詳細な説明を省くと共に、同一の符号を付して説明を行う。【０２４５】
第４実施形態における放射線画像撮影システムは、第３実施形態における放射線画像撮影システム１０１と同様に構成されている。次に、放射線画像撮影システムの作用について説明する。【０２４６】
新たに放射線画像検出器１０６を撮影室１５０に設置する際には、放射線技師により当該撮影室１５０を管理するコンソール１０７ａの入力操作部１２８等から放射線画像検出器１０６の検出装置ＩＤ等の識別情報が入力される。検出装置ＩＤ等の識別情報が入力されると、制御部１１４によってコンソール１０７ａと放射線画像検出器１０６との対応付けが行われる。対応付けが行われると、コンソール１０７ａのコンソールＩＤと放射線画像検出器１０６の検出装置ＩＤとが対応付けられた状態で、ネットワーク１０８を介してサーバ１０２に送られ、サーバ１０２の外部記憶装置１３２等に記憶される。【０２４７】
一方、患者情報、撮影情報等がいずれかのコンソール１０７から入力されると、入力された各情報がネットワーク１０８を介してサーバ１０２に送られる。この際、撮影予定回数についても撮影情報として入力され、例えば、一人の患者につき４回の放射線画像の撮影を行う場合には、４回と登録される。なお、撮影回数等は、後から入力操作部１１８やサーバ１０２等から追加、修正の入力を行うことにより適宜変更可能である。【０２４８】
患者情報、撮影情報等がサーバ１０２に送られると、サーバ１０２の制御部１３１により各情報を対応付けた患者リストが生成され、サーバ１０２の外部記憶装置１３２等に記憶される。なお、患者情報、撮影情報等は、コンソール１０７から入力される他、サーバ１０２の入力操作部１３３や、ＩＤカードリーダ等の各種情報読取装置、診察室等に設置されネットワーク１０８に接続された端末装置等から送信されてもよい。【０２４９】
放射線画像の撮影を行う際には、放射線技師は、まず撮影を行う撮影室１５０に対応付けられたコンソール１０７ａに行き、サーバ１０２に記憶されている患者リストをネットワーク１０８を介して参照しコンソール１０７ａの表示部１１７に患者リストを表示させる。そして、放射線技師はその中から撮影を行う患者１１１及び必要に応じてその撮影部位等を選択する。撮影室１５０内に複数の放射線画像検出器１０６が設置されているときは、放射線技師は、さらに、撮影室１５０内に設置された放射線画像検出器１０６のうち撮影に使用する放射線画像検出器１０６を入力操作部１１８によって選択、入力する。【０２５０】
次に、サーバ１０２からコンソール１０７や放射線照射操作装置１０４に対して患者情報や撮影情報が送信される。患者情報や撮影情報は適宜コンソール１０７の表示部１１７に表示され、放射線技師はこれらの情報を確認しながら放射線画像の撮影を行う。【０２５１】
放射線照射操作装置１０４は、受信した撮影情報に含まれる管電圧値、放射線量等に基づいて、放射線画像撮影装置１０３の放射線管球１０９を制御し、放射線画像撮影装置１０３は、これらの条件下で放射線を患者１１１に対して照射する。【０２５２】
このとき、放射線画像検出器１０６が寝台１１２上であって患者１１１の下に差しこまれており、患者１１１を透過する放射線量を検出し、検出した放射線を電気信号に変換して所定の検出結果に基づく放射線画像情報を取得し、この放射線画像情報を画像記憶部１２５に記憶する。【０２５３】
また、放射線画像検出器１０６によって得られた放射線画像情報は、制御部１２１により、撮影に使用された放射線画像検出器１０６の検出装置ＩＤと対応付けられた状態で、放射線画像検出器１０６を撮影の際に操作するコンソール１０７として放射線画像検出器１０６と対応付けられているコンソール１０７ａに送信される。【０２５４】
コンソール１０７ａの制御部１１４は、放射線画像情報に基づいて表示用画像を生成するとともに、患者情報と放射線画像検出器１０６による放射線画像情報との対応付けを行い、表示用画像を含めた放射線画像情報を患者情報と対応付けた状態でネットワーク１０８を介してサーバ１０２に送信する。【０２５５】
サーバ１０２は、送られた放射線画像情報を患者リストと対応付けて外部記憶装置１３２に記憶する。【０２５６】
また、コンソール１０７ａの制御部１１４は、生成した表示用画像を表示部１１７に表示させる。【０２５７】
同一患者について、同じ撮影室１５０においてさらに別の部位等を撮影する場合には、再度放射線技師がコンソール１０７ａの表示部１１７に患者リストを表示させる。そして、放射線技師はその中から２回目の撮影における撮影部位等を選択する。【０２５８】
１回目と同様に撮影が行われると、放射線画像情報が画像記憶部１２５に記憶されるとともに、制御部１２１により、撮影に使用された放射線画像検出器１０６の検出装置ＩＤと対応付けられた状態で、放射線画像検出器１０６を撮影の際に操作するコンソール１０７として放射線画像検出器１０６と対応付けられているコンソール１０７ａに送信される。【０２５９】
コンソール１０７ａの制御部１１４は、患者情報と放射線画像検出器１０６による放射線画像情報との対応付けを行うとともに表示用画像を生成する。そして、患者情報と対応付けられた放射線画像情報をサーバ１０２に送信する。サーバ１０２は送られた放射線画像情報を患者リストと対応付けて外部記憶装置１３２に記憶するとともに、送られた放射線画像情報と対応付けられた患者情報と合致する放射線画像情報が外部記憶装置１３２に記憶されていないかを検索する。本実施形態の場合には、検索の結果、患者についての１回目の撮影によって得られた放射線画像情報のうち表示用画像が患者情報と合致するものとしてコンソール１０７ａに送信される。【０２６０】
なお、サーバ１０２の制御部１３１が外部記憶装置１３２に記憶されている放射線画像情報の中にコンソール１０７ａの操作の元で撮影される患者情報と合致するものがないかを検索するタイミングは、コンソール１０７ａから放射線画像情報が送られたときに限定されず、例えば、放射線技師が患者リストの中から撮影を行う同じ患者１１１やその撮影部位等を選択したときに、この選択信号がサーバ１０２に送られて検索が行われ、検索の結果選び出された表示用画像がコンソール１０７ａに送られるようにしてもよい。【０２６１】
コンソール１０７ａの制御部１１４は、２回目の撮影の放射線画像情報に基づいて生成した表示用画像を表示部１１７に表示させる。この際、１回目の撮影によって得られた表示用画像が表示部１１７に並んで表示され、放射線技師は、２つの表示用画像を確認することにより、放射線画像検出器１０６によって被写体像が適正に検出されているか否か及び再撮影の要否の判断を行う。【０２６２】
また、異なる撮影室１５０に放射線画像検出器１０６を移動して、同一患者についてさらに別の部位等を撮影する場合には、まず撮影室１５０に放射線画像検出器１０６を設置する際に撮影室１５０を管理するコンソール１０７ｂに放射線画像検出器１０６の検出装置ＩＤを登録し、対応付けを行う。そして、当該コンソール１０７ｂの表示部１１７に患者リストを表示させて、放射線技師がその中から当該患者１１１の３回目の撮影における撮影部位等を選択する。【０２６３】
１回目、２回目と同様に撮影が行われると、放射線画像情報が画像記憶部１２５に記憶されるとともに、制御部１２１により、撮影に使用された放射線画像検出器１０６の検出装置ＩＤと対応付けられた状態で、放射線画像検出器１０６を撮影の際に操作するコンソール１０７として放射線画像検出器１０６と対応付けられているコンソール１０７ｂに送信される。【０２６４】
コンソール１０７ｂの制御部１１４は、患者情報と放射線画像検出器１０６による放射線画像情報との対応付けを行うとともに表示用画像を生成し、患者情報と対応付けられた放射線画像情報をサーバ１０２に送信する。サーバ１０２は送られた放射線画像情報を患者リストと対応付けて外部記憶装置１３２に記憶する。また、サーバ１０２の制御部１３１は、外部記憶装置１３２に記憶されている放射線画像情報の中にコンソール１０７ｂから送られた放射線画像情報と対応付けられた患者情報と合致するものがないかを検索し、合致するものがあると、その表示用画像をコンソール１０７ｂに送信する。本実施形態においては、検索の結果、患者についての１回目、２回目の撮影によって得られた放射線画像情報が患者情報と合致するものとされ、これらについての表示用画像がコンソール１０７ｂに送信される。【０２６５】
コンソール１０７ｂの制御部１１４は、３回目の撮影によって得られた放射線画像情報から生成した表示用画像を表示部１１７に表示させる。また、表示部１１７にはサーバ１０２から送られた１回目、２回目の撮影の表示用画像が３回目の撮影の表示用画像と並んで表示される。放射線技師は、３つの表示用画像を確認することにより、放射線画像検出器１０６によって被写体像が適正に検出されているか否か及び再撮影の要否の判断を行う。【０２６６】
さらに、異なる撮影室１５０に患者と放射線技師だけが移動して、１回目〜３回目とは異なる放射線画像検出器１０６であって移動先の撮影室１５０を管理するコンソール１０７ｃに対応付けられた放射線画像検出器１０６により別の部位等を撮影する場合には、コンソール１０７ｃの表示部１１７に患者リストを表示させて、放射線技師がその中から撮影を行う当該患者１１１の４回目の撮影における撮影部位等を選択する。【０２６７】
１回目〜３回目と同様に撮影が行われると、放射線画像情報が画像記憶部１２５に記憶されるとともに、制御部１２１により、撮影に使用された放射線画像検出器１０６の検出装置ＩＤと対応付けられた状態で、放射線画像検出器１０６を撮影の際に操作するコンソール１０７として放射線画像検出器１０６と対応付けられているコンソール１０７ｃに送信される。【０２６８】
コンソール１０７ｃの制御部１１４は、患者情報と放射線画像検出器１０６による放射線画像情報との対応付けを行うとともに表示用画像を生成し、患者情報と対応付けられた放射線画像情報をサーバ１０２に送信する。サーバ１０２は送られた放射線画像情報を患者リストと対応付けて外部記憶装置１３２に記憶する。また、サーバ１０２の制御部１３１は、外部記憶装置１３２に記憶されている放射線画像情報の中にコンソール１０７ｃから送られた放射線画像情報と対応付けられた患者情報と合致するものがないかを検索し、合致するものがあると、その表示用画像をコンソール１０７ｃに送信する。本実施形態においては、検索の結果、患者についての１回目〜３回目の撮影によって得られた放射線画像情報が患者情報と合致するものとされ、これらについての表示用画像がコンソール１０７ｃに送信される。【０２６９】
コンソール１０７ｃの制御部１１４は、４回目の撮影によって得られた放射線画像情報から生成した表示用画像を表示部１１７に表示させる。また、表示部１１７にはサーバ１０２から送られた１回目〜３回目の撮影の表示用画像が４回目の撮影の表示用画像と並んで表示される。放射線技師は、４つの表示用画像を確認することにより、放射線画像検出器１０６によって被写体像が適正に検出されているか否か及び再撮影の要否の判断を行う。【０２７０】
被写体像が適正に検出されているか否か及び再撮影の要否の判断を行った結果、被写体像が適正に検出されており再撮影の必要がない場合には、放射線技師が入力操作部１１８から撮影が適正に行われた旨を入力する。撮影が適正であるとの入力がされると、コンソール１０７の制御部１１４は、撮影適正との信号をサーバ１０２に対して送信する。その後、原画像情報は、サーバ１０２より画像処理がなされた後、適宜プリンタやモニタなどの出力機から出力され、放射線画像として医師による診断に供される。一方、表示用画像は、制御部１１４により消去される。【０２７１】
また、制御部１１４は、放射線画像検出器１０６に対して放射線画像の撮影状態が適正である旨の信号及び放射線画像検出器１０６に記憶されている放射線画像情報の削除を指示する削除指示信号を送信する。放射線画像検出器１０６の制御部１２１は、これらの信号を受けて画像記憶部１２５から放射線画像情報を消去し、放射線画像検出器１０６による撮影を終了する。そして、この場合には、コンソール１０７の表示部１１７には次の撮影の患者情報、撮影情報等が適宜表示される。【０２７２】
これに対して、被写体像が適正に検出されておらず再撮影の必要があるとの信号が入力操作部１１８から入力された場合には、原画像情報及び表示用画像を消去するとともに、放射線照射操作装置１０４に対して再撮影を行うよう指示を送信する。これにより再撮影が行われ、放射線画像検出器１０６によって得られた放射線画像情報は、前記と同様、撮影の際に放射線画像検出器１０６を操作したコンソール１０７に送信される。【０２７３】
コンソール１０７の制御部１１４は、放射線画像情報と患者情報等とを対応付けてサーバ１０２に送信するとともに、放射線画像情報に基づいて原画像情報よりも情報量の少ない表示用画像を生成し、生成した表示用画像を表示部１１７に表示させる。【０２７４】
被写体像が適正に検出されており再撮影の必要がないとの入力が入力操作部１１８からなされた場合には、コンソール１０７の制御部１１４は、前記同様、表示用画像を消去するとともに放射線画像検出器１０６に対して放射線画像の撮影状態が適正である旨の信号及び放射線画像検出器１０６に記憶されている放射線画像情報の削除を指示する削除指示信号を送信し、一連の撮影動作を終了する。【０２７５】
以上より、本実施形態に係る放射線画像撮影システム１０１によれば、当該患者について撮影された全ての放射線画像情報が、当該患者について最後に行った撮影の際に、放射線画像検出器１０６を操作するものとして対応付けられたコンソール１０７に送信され、表示用画像がコンソール１０７の表示部に表示される。このため、どのコンソール１０７で患者情報や撮影情報の入力、放射線画像検出器１０６とコンソール１０７との対応付けを行っても、撮影した画像は、放射線技師が現に撮影作業を行っている撮影室１５０の近くに位置するコンソール１０７で全ての撮影の適否を確認することができ、放射線技師が撮影場所から離れたところに移動することなく、即時かつ確実に被写体像が適正に検出されているかを比較検討し、放射線画像の適否を判断することができ、撮影の際の操作性を向上させることができる。【０２７６】
なお、本実施形態においては、サーバ１０２の制御部１３１が同じ患者情報の対応付けられた放射線画像情報が外部記憶装置３３を検索するタイミングは、コンソール１０７から患者情報の対応付けられた放射線画像情報が送られたときとしたが、検索のタイミングはこれに限定されない。例えば、撮影前の設定として患者リストから撮影する患者等を選択すると、その情報がサーバ１０２に送信されて制御部１３１が検索を行うようにしてもよい。【０２７７】
また、本実施形態においては、コンソール１０７に送られた複数の表示用画像は、コンソール１０７の表示部１１７に並べて表示されるようにしたが、表示のさせ方はこれに限定されない。例えば、各表示用画像を適宜切り替えて表示部１１７に表示されるようにしてもよい。【０２７８】
また、本実施形態においては、放射線画像検出器１０６による検出結果に基づく放射線画像情報を、放射線画像検出器１０６に対応するコンソール１０７に送信した後、コンソール１０７の制御部１１４で表示用画像を生成するものとしたが、表示用画像を生成する表示用画像生成手段は、コンソール１０７の制御部１１４である場合に限定されない。【０２７９】
例えば、本実施形態のように、放射線画像検出器１０６がカセッテ型のＦＰＤである場合には、放射線画像検出器１０６の制御部１２１によって表示用画像を生成するようにしてもよい。この場合、放射線画像検出器１０６の制御部１２１で生成された原画像情報及び表示用画像は、無線等の通信手段によって、ともにコンソール１０７に送られるようにしてもよいし、サーバ１０２に送られるようにしてもよい。さらに、表示用画像のみがコンソール１０７に送られ、原画像情報はサーバ１０２に送られるようにしてもよい。また、原画像情報は放射線画像検出器１０６の画像記憶部１２５に記憶され、表示用画像のみがコンソール１０７に送られるようにしてもよい。この場合、コンソール１０７から放射線画像の撮影状態が適正である旨の信号が放射線画像検出器１０６に送られると、原画像情報がコンソール１０７又はサーバ１０２に送信されるようにしてもよい。また、放射線画像検出器１０６によって得られた放射線画像情報が直接サーバ１０２に送られ、サーバ１０２において原画像情報のほかに表示用画像が生成されるようにしてもよい。【０２８０】
また、本実施形態においては、放射線画像検出器１０６によって検出された検出結果は、すべてコンソール１０７に送られた後、サーバ１０２に送信するようにしたが、放射線画像検出器１０６から直接サーバ１０２に送られるようにしてもよい。また、放射線画像検出器１０６において検出結果から表示用画像を生成する場合には、表示用画像のみをコンソール１０７に送信し、原画像情報は放射線画像検出器１０６の画像記憶部１２５に記憶させておくようにしてもよいし、表示用画像のみをコンソール１０７に送信し、原画像情報をサーバ１０２に送信するようにしてもよい。原画像情報を放射線画像検出器１０６の画像記憶部１２５に記憶させておく場合には、後に、再撮影の必要がなくなったとき、コンソール１０７の制御部１１４は、通信部１１９を介して放射線画像検出器１０６に記憶されている当該撮影に関する検出結果を適宜サーバ１０２又はコンソール１０７に転送した後消去するように信号を送信するようにする。【０２８１】
なお、本実施形態においては、患者リストをサーバ１０２の制御部１３１において生成するものとしたが、患者リストの生成主体はこれに限定されない。例えば、コンソール１０７の制御部１１４で患者リストが生成されて、コンソール１０７からサーバ１０２に送られ、サーバ１０２の外部記憶装置１３２等に記憶されるとともに、サーバ１０２から患者リストが各コンソール１０７に送信されて共有されるようになっていてもよい。【０２８２】
なお、本実施形態においては、放射線画像検出器１０６が一旦あるコンソール１０７との間で対応付けがなされた後、撮影室１５０を移動する等により別のコンソール１０７との間に新たな対応付けがなされると、前に対応付けを行ったコンソール１０７と放射線画像検出器１０６との対応付けは解除されるものとしたが、撮影室１５０を移動する等により放射線画像検出器１０６と別のコンソール１０７との間に新たな対応付けがなされる場合、前にされた対応付けも解除されず、複数の対応付けが重複するものとしてもよい。【０２８３】
この場合には、例えば、放射線画像検出器１０６によって得られた放射線画像を当該撮影の際に放射線画像検出器１０６を操作したコンソール１０７のコンソールＩＤと対応付けることにより、このコンソールＩＤを有するコンソール１０７にのみ当該放射線画像を送信するようにする。これにより、当該撮影の際に放射線画像検出器１０６を操作したコンソール１０７だけに当該画像を送信することができ、撮影後、撮影室１５０の傍ですぐに画像を確認することができるため、便宜である。【０２８４】
また、本実施形態においては、放射線画像撮影装置１０３を放射線照射操作装置１０４によって操作するものとしたが、放射線画像撮影装置１０３をコンソール１０７等によって操作するように構成してもよい。この場合には、放射線照射操作装置１０４を設ける必要がなく、システム構成を簡易化することができる。
【産業上の利用可能性】
【０２８５】
本発明に係る放射線画像撮影システムが適用された放射線画像検出器は、対応付けられたコンソールの起動状態に応じて自動的に電力供給の状態を制御することができるので、緊急に撮影を行いたい場合において、放射線画像検出器を起動させるための操作上の手間や、起動待ちの時間を省くことができ、撮影の際の操作性を向上させることができる。また、誤って起動していない放射線画像検出器を使用して患者に再撮影を強いるなど、操作ミスにより患者に不要な被曝を高じさせるのを防ぐことができる。
特に、コンソールが起動していない場合に、放射線画像検出器の消費電力を抑えるように電力供給の状態を制御した場合には、コンソールの非起動時、つまり、撮影が行われないときに、放射線画像検出器を消費電力を抑えた省電力モードとすることができ、無駄な消費電力を削減することができる。
従って、本発明に係る放射線画像撮影システムは、緊急の撮影を行うような医療現場に特に適している。
【符号の説明】
【０２８６】
１，１０１  放射線画像撮影システム
２，１０２  サーバ
３，１０４  放射線照射操作装置
４，１０５  基地局
５，１０６  放射線画像検出器
６，１０７（１０７ａ，１０７ｂ，１０７ｃ）  コンソール
７，１０８  ネットワーク
１０  放射線照射装置
１１，１５０  撮影室
１６  走査駆動回路（放射線画像検出器）
１７  信号読出し回路（放射線画像検出器）
１８，１２５  画像記憶部（放射線画像検出器）
１９  内蔵電源（放射線画像検出器）
２１  電力供給手段（放射線画像検出器）
２２  端子（放射線画像検出器）
２３  対応付け検知手段（放射線画像検出器）
２４，１２６  通信部（放射線画像検出器）
２５  インジケータ（放射線画像検出器）
２７，３６，１２１  制御部（放射線画像検出器）
２８  制御装置（放射線画像検出器）
２９，３５，１１４  制御部（コンソール）
３０  制御装置（コンソール）
３１，１１８  入力操作部（コンソール）
３２，１１７  表示部（コンソール）
３３  通信部（コンソール）
３４  充電用装置
４０  検知手段
４１  解除手段
１０３  放射線画像撮影装置
１１５  ＲＡＭ（コンソール）
１１６  ＲＯＭ（コンソール）
１２０  バス（コンソール）
１２２  ＲＡＭ（放射線画像検出器）
１２３  ＲＯＭ（放射線画像検出器）
１２４  平面検出部（放射線画像検出器）
１２７  電源部（放射線画像検出器）
１２８  入力操作部（放射線画像検出器）
１２９  バス（放射線画像検出器）
１３０  充電池
１３１  制御部（サーバ）
１３２  外部記憶装置（サーバ）
１３３  入力操作部（サーバ）
１３４  表示部（サーバ）
１３５  バス（サーバ）
【図１】
0005012503.tif 000002
【図２】
0005012503.tif 000003
【図３】
0005012503.tif 000004
【図４】
0005012503.tif 000005
【図５】
0005012503.tif 000006
【図６】
0005012503.tif 000007
【図７】
0005012503.tif 000008
【図８】
0005012503.tif 000009
【図９】
0005012503.tif 000010
【図１０】
0005012503.tif 000011
【図１１】
0005012503.tif 000012
【図１２】
0005012503.tif 000013